(57)【要約】      （修正有）【課題】ＵＥがダウンリンクサブフレームに対応するＡＣＫ／ＮＡＣＫを基地局にフィードバックするときにシステムオーバーヘッドが比較的大きいという技術的課題を解決する。【解決手段】端末は、ダウンリンクサブフレームについてのフィードバック情報を第１フィードバック方式でネットワークデバイスに送信する。フィードバック情報の第１コードブックが、即時的にスケジューリングされるダウンリンクサブフレームセットに従って決定される。ネットワークデバイスによって実際にスケジューリングされていないダウンリンクサブフレームに関する情報がフィードバックされる必要がなく、第１コードブックに含まれるビット数は少なくなる。【選択図】図１
2019216460.tif 000002
【特許請求の範囲】
【請求項１】
情報送信方法であって、
端末が、ダウンリンクサブフレームについてのフィードバック情報を第１フィードバック方式でネットワークデバイスに送信することを決定する段階であって、前記第１フィードバック方式において、前記フィードバック情報の第１コードブックは、即時的にスケジューリングされるダウンリンクサブフレームセットにおけるダウンリンクサブフレームに対応し、前記即時的にスケジューリングされるダウンリンクサブフレームセットは、前記ネットワークデバイスによって実際にスケジューリングされる前記端末の前記ダウンリンクサブフレームを含み、前記端末は、キャリアアグリゲーションＣＡをサポートする端末である、段階と、
前記端末が、前記フィードバック情報を前記第１フィードバック方式で前記ネットワークデバイスに送信する段階と
を備える、方法。
【請求項２】
前記方法は、
前記端末が、前記ダウンリンクサブフレームにおける検出されたダウンリンク制御チャネルに従って、前記ネットワークデバイスによってスケジューリングされる前記ダウンリンクサブフレームを決定する段階
をさらに備える、
請求項１に記載の方法。
【請求項３】
前記方法は、
前記端末が、前記ダウンリンク制御チャネル上で搬送されるインデックスフィールドを取得する段階
をさらに備え、
前記インデックスフィールドの値は、前記即時的にスケジューリングされるダウンリンクサブフレームセットにおいて、まずキャリア、次にサブフレームの順に累積カウントを行うことにより取得されるカウント値である、
請求項２に記載の方法。
【請求項４】
前記方法は、
前記端末が、前記ダウンリンク制御チャネル上で搬送される合計フィールドを取得する段階
をさらに備え、
前記合計フィールドは、前記即時的にスケジューリングされるダウンリンクサブフレームセットにおける、前記端末のスケジューリングされるダウンリンクサブフレームの総数を示すのに用いられる、または、
前記合計フィールドは、前記即時的にスケジューリングされるダウンリンクサブフレームセットにおける現在のダウンリンクサブフレーム番号に対応するダウンリンクサブフレームセットにおける、前記端末のスケジューリングされるダウンリンクサブフレームの総数を示すのに用いられる、または、
前記合計フィールドは、前記即時的にスケジューリングされるダウンリンクサブフレームセットにおける現在のダウンリンクサブフレーム番号に対応するダウンリンクサブフレームセットと、前記現在のダウンリンクサブフレーム番号のサブフレーム期間の前の全ダウンリンクサブフレームのサブフレーム番号に対応するダウンリンクサブフレームセットとにおける、前記端末のスケジューリングされるダウンリンクサブフレームの総数を示すのに用いられる、
請求項３に記載の方法。
【請求項５】
前記方法は、
前記端末が、前記ネットワークデバイスにより送達される第１インジケーションフィールドを受信する段階
をさらに備え、
前記第１インジケーションフィールドは、前記インデックスフィールドにより示される周期的な値設定のラウンド数を搬送する、または、前記第１インジケーションフィールドは、前記即時的にスケジューリングされるダウンリンクサブフレームセットにおける、前記端末の前記スケジューリングされるダウンリンクサブフレームの前記総数を示すのに用いられる、
請求項４に記載の方法。
【請求項６】
前記方法は、
前記端末が、前記ダウンリンク制御チャネル上で搬送される合計フィールドを取得し、前記端末が、前記ネットワークデバイスにより送達される第１インジケーションフィールドを受信する段階
をさらに備え、
前記合計フィールドおよび前記第１インジケーションフィールドは、前記即時的にスケジューリングされるダウンリンクサブフレームセットにおける、前記端末のスケジューリングされるダウンリンクサブフレームの総数を共同的に示すのに用いられ、前記第１インジケーションフィールドにおいて搬送されるビットは、上位ビットである、
請求項３に記載の方法。
【請求項７】
端末が、ダウンリンクサブフレームについてのフィードバック情報を第１フィードバック方式でネットワークデバイスに送信することを決定する前記段階の前に、前記方法は、
前記端末が、前記ネットワークデバイスにより送達される第１インジケーションフィールドを受信する段階
をさらに備え、
端末が、ダウンリンクサブフレームについてのフィードバック情報を第１フィードバック方式でネットワークデバイスに送信することを決定する前記段階は、
前記第１インジケーションフィールドが第１ステータス情報を示す場合に、前記端末が、前記フィードバック情報を前記第１ステータス情報に対応する前記第１フィードバック方式で前記ネットワークデバイスに送信することを決定する段階
を含む、
請求項１から４のいずれか一項に記載の方法。
【請求項８】
前記端末が、前記フィードバック情報を前記第１フィードバック方式で前記ネットワークデバイスに送信する前記段階は、
前記端末が、取得された前記第１コードブックに巡回冗長検査ＣＲＣコードを付加する段階と、
前記端末が、前記ＣＲＣが付加された前記フィードバックコードブックに対してチャネル符号化を行って、前記フィードバック情報を取得する段階と、
前記端末が、前記フィードバック情報を前記ネットワークデバイスに送信する段階と
を含む、
請求項７に記載の方法。
【請求項９】
前記第１インジケーションフィールドは、アップリンクスケジューリンググラントＵＬ＿ｇｒａｎｔにおけるフィールドである、
請求項５から８のいずれか一項に記載の方法。
【請求項１０】
前記端末が、前記ネットワークデバイスにより送達される第１インジケーションフィールドを受信する前記段階の後に、前記方法は、
前記第１インジケーションフィールドが第２ステータス情報を示す場合に、前記端末が、前記ダウンリンクサブフレームについての前記フィードバック情報を前記第２ステータス情報に対応する第２フィードバック方式で前記ネットワークデバイスに送信することを決定する段階であって、前記第２フィードバック方式において、前記フィードバック情報の第２コードブックは、予め構成されるダウンリンクサブフレームサブセットにおけるダウンリンクサブフレームに対応し、前記予め構成されるダウンリンクサブフレームサブセットは、予め構成されるダウンリンクサブフレームセットのサブセットであり、前記予め構成されるダウンリンクサブフレームセットは、前記端末に対して構成され、前記フィードバック情報を搬送するアップリンクサブフレームに対応する全キャリア上の全ダウンリンクサブフレームを含む、段階と、
前記端末が、前記フィードバック情報を前記第２フィードバック方式で前記ネットワークデバイスに送信する段階と
をさらに備える、
請求項７に記載の方法。
【請求項１１】
情報受信方法であって、
ネットワークデバイスが、端末のダウンリンクサブフレームをスケジューリングする段階であって、前記端末は、キャリアアグリゲーションＣＡをサポートする端末である、段階と、
前記ネットワークデバイスが、前記端末により第１フィードバック方式で送信されたフィードバック情報を受信する段階であって、前記第１フィードバック方式において、前記フィードバック情報の第１コードブックは、即時的にスケジューリングされるダウンリンクサブフレームセットにおけるダウンリンクサブフレームに対応し、前記即時的にスケジューリングされるダウンリンクサブフレームセットは、前記ネットワークデバイスによって実際にスケジューリングされる前記端末の前記ダウンリンクサブフレームを含む、段階と
を備える、方法。
【請求項１２】
ネットワークデバイスが、端末のダウンリンクサブフレームをスケジューリングする前記段階は、
前記ネットワークデバイスが、前記ダウンリンクサブフレームにおけるダウンリンク制御チャネルにインデックスフィールドを付加する段階
を含み、
前記インデックスフィールドの値は、前記即時的にスケジューリングされるダウンリンクサブフレームセットにおいて、まずキャリア、次にサブフレームの順に累積カウントを行うことにより取得されるカウント値である、
請求項１１に記載の方法。
【請求項１３】
ネットワークデバイスが、端末のダウンリンクサブフレームをスケジューリングする前記段階は、
前記ネットワークデバイスが、前記ダウンリンクサブフレームにおける前記ダウンリンク制御チャネルに合計フィールドを付加する段階
をさらに含み、
前記合計フィールドは、前記即時的にスケジューリングされるダウンリンクサブフレームセットにおける、前記端末のスケジューリングされるダウンリンクサブフレームの総数を示すのに用いられる、または、
前記合計フィールドは、前記即時的にスケジューリングされるダウンリンクサブフレームセットにおける現在のダウンリンクサブフレーム番号に対応するダウンリンクサブフレームセットにおける、前記端末のスケジューリングされるダウンリンクサブフレームの総数を示すのに用いられる、または、
前記合計フィールドは、前記即時的にスケジューリングされるダウンリンクサブフレームセットにおける現在のダウンリンクサブフレーム番号に対応するダウンリンクサブフレームセットと、前記現在のダウンリンクサブフレーム番号のサブフレーム期間の前の全ダウンリンクサブフレームのサブフレーム番号に対応するダウンリンクサブフレームセットとにおける、前記端末のスケジューリングされるダウンリンクサブフレームの総数を示すのに用いられる、
請求項１２に記載の方法。
【請求項１４】
ネットワークデバイスが、端末のダウンリンクサブフレームをスケジューリングする前記段階は、
前記ネットワークデバイスが、第１インジケーションフィールドを前記端末に送達する段階
をさらに含み、
前記第１インジケーションフィールドは、前記インデックスフィールドにより示される周期的な値設定のラウンド数を搬送する、または、前記第１インジケーションフィールドは、前記即時的にスケジューリングされるダウンリンクサブフレームセットにおける、前記端末の前記スケジューリングされるダウンリンクサブフレームの前記総数を示すのに用いられる、
請求項１３に記載の方法。
【請求項１５】
ネットワークデバイスが、端末のダウンリンクサブフレームをスケジューリングする前記段階は、
前記ネットワークデバイスが、前記ダウンリンクサブフレームにおける前記ダウンリンク制御チャネルに合計フィールドを付加し、第１インジケーションフィールドを前記端末に送達する段階
をさらに含み、
前記合計フィールドおよび前記第１インジケーションフィールドは、前記即時的にスケジューリングされるダウンリンクサブフレームセットにおける、前記端末のスケジューリングされるダウンリンクサブフレームの総数を共同的に示すのに用いられ、前記第１インジケーションフィールドにおいて搬送されるビットは、上位ビットである、
請求項１２に記載の方法。
【請求項１６】
前記方法は、
前記ネットワークデバイスが、第１インジケーションフィールドを前記端末に送達する段階
をさらに備え、
前記ネットワークデバイスが、前記端末により第１フィードバック方式で送信されたフィードバック情報を受信する前記段階は、
前記第１インジケーションフィールドが第１ステータス情報を示す場合に、前記ネットワークデバイスが、前記端末により前記第１フィードバック方式で送信された前記フィードバック情報を受信する段階
を含む、
請求項１１から１３のいずれか一項に記載の方法。
【請求項１７】
前記ネットワークデバイスが、第１インジケーションフィールドを前記端末に送達する前記段階の後に、前記方法は、
前記第１インジケーションフィールドが第２ステータス情報を示す場合に、前記ネットワークデバイスが、前記端末により第２フィードバック方式で送信された前記フィードバック情報を受信する段階
をさらに備え、
前記第２フィードバック方式において、前記フィードバック情報の第２コードブックは、予め構成されるダウンリンクサブフレームサブセットにおけるダウンリンクサブフレームに対応し、前記予め構成されるダウンリンクサブフレームサブセットは、予め構成されるダウンリンクサブフレームセットのサブセットであり、前記予め構成されるダウンリンクサブフレームセットは、前記端末に対して構成され、前記フィードバック情報を搬送するアップリンクサブフレームに対応する全キャリア上の全ダウンリンクサブフレームを含む、
請求項１６に記載の方法。
【請求項１８】
前記第１インジケーションフィールドは、アップリンクスケジューリンググラントＵＬ＿ｇｒａｎｔにおけるフィールドである、
請求項１４から１７のいずれか一項に記載の方法。
【請求項１９】
端末であって、
ダウンリンクサブフレームについてのフィードバック情報を第１フィードバック方式でネットワークデバイスに送信することを決定するよう構成された処理モジュールであって、前記第１フィードバック方式において、前記フィードバック情報の第１コードブックは、即時的にスケジューリングされるダウンリンクサブフレームセットにおけるダウンリンクサブフレームに対応し、前記即時的にスケジューリングされるダウンリンクサブフレームセットは、前記ネットワークデバイスによって実際にスケジューリングされる前記端末の前記ダウンリンクサブフレームを含み、前記端末は、キャリアアグリゲーションＣＡをサポートする端末である、処理モジュールと、
前記フィードバック情報を前記第１フィードバック方式で前記ネットワークデバイスに送信するよう構成された送信モジュールと
を備える、端末。
【請求項２０】
前記処理モジュールは、前記ダウンリンクサブフレームにおける検出されたダウンリンク制御チャネルに従って、前記ネットワークデバイスによってスケジューリングされる前記ダウンリンクサブフレームを決定するようさらに構成される、
請求項１９に記載の端末。
【請求項２１】
前記処理モジュールは、前記ダウンリンク制御チャネル上で搬送されるインデックスフィールドを取得するようさらに構成され、
前記インデックスフィールドの値は、前記即時的にスケジューリングされるダウンリンクサブフレームセットにおいて、まずキャリア、次にサブフレームの順に累積カウントを行うことにより取得されるカウント値である、
請求項２０に記載の端末。
【請求項２２】
前記処理モジュールは、前記ダウンリンク制御チャネル上で搬送される合計フィールドを取得するようさらに構成され、
前記合計フィールドは、前記即時的にスケジューリングされるダウンリンクサブフレームセットにおける、前記端末のスケジューリングされるダウンリンクサブフレームの総数を示すのに用いられる、または、
前記合計フィールドは、前記即時的にスケジューリングされるダウンリンクサブフレームセットにおける現在のダウンリンクサブフレーム番号に対応するダウンリンクサブフレームセットにおける、前記端末のスケジューリングされるダウンリンクサブフレームの総数を示すのに用いられる、または、
前記合計フィールドは、前記即時的にスケジューリングされるダウンリンクサブフレームセットにおける現在のダウンリンクサブフレーム番号に対応するダウンリンクサブフレームセットと、前記現在のダウンリンクサブフレーム番号のサブフレーム期間の前の全ダウンリンクサブフレームのサブフレーム番号に対応するダウンリンクサブフレームセットとにおける、前記端末のスケジューリングされるダウンリンクサブフレームの総数を示すのに用いられる、
請求項２１に記載の端末。
【請求項２３】
前記端末は、
前記ネットワークデバイスにより送達される第１インジケーションフィールドを受信するよう構成された受信モジュール
をさらに備え、
前記第１インジケーションフィールドは、前記インデックスフィールドにより示される周期的な値設定のラウンド数を搬送する、または、前記第１インジケーションフィールドは、前記即時的にスケジューリングされるダウンリンクサブフレームセットにおける、前記端末の前記スケジューリングされるダウンリンクサブフレームの前記総数を示すのに用いられる、
請求項２２に記載の端末。
【請求項２４】
前記端末は、受信モジュールをさらに備え、
前記処理モジュールは、前記ダウンリンク制御チャネル上で搬送される合計フィールドを取得するようさらに構成され、前記受信モジュールは、前記ネットワークデバイスにより送達される第１インジケーションフィールドを受信するよう構成され、
前記合計フィールドおよび前記第１インジケーションフィールドは、前記即時的にスケジューリングされるダウンリンクサブフレームセットにおける、前記端末のスケジューリングされるダウンリンクサブフレームの総数を共同的に示すのに用いられ、前記第１インジケーションフィールドにおいて搬送されるビットは、上位ビットである、
請求項２１に記載の端末。
【請求項２５】
前記端末は、受信モジュールをさらに備え、
前記受信モジュールは、前記処理モジュールが、ダウンリンクサブフレームについてのフィードバック情報を第１フィードバック方式でネットワークデバイスに送信することを決定する前に、前記ネットワークデバイスにより送達される第１インジケーションフィールドを受信するよう構成され、
前記処理モジュールは、前記第１インジケーションフィールドが第１ステータス情報を示す場合に、前記フィードバック情報を前記第１ステータス情報に対応する前記第１フィードバック方式で前記ネットワークデバイスに送信することを決定するよう構成される、
請求項１９から２２のいずれか一項に記載の端末。
【請求項２６】
前記送信モジュールは、
取得された前記第１コードブックに巡回冗長検査ＣＲＣコードを付加し、
前記ＣＲＣが付加された前記フィードバックコードブックに対してチャネル符号化を行って、前記フィードバック情報を取得し、
前記フィードバック情報を前記ネットワークデバイスに送信する
よう構成される、
請求項２５に記載の端末。
【請求項２７】
前記第１インジケーションフィールドは、アップリンクスケジューリンググラントＵＬ＿ｇｒａｎｔにおけるフィールドである、
請求項２３から２６のいずれか一項に記載の端末。
【請求項２８】
前記処理モジュールは、前記受信モジュールが、前記ネットワークデバイスにより送達される前記第１インジケーションフィールドを受信した後に、前記第１インジケーションフィールドが第２ステータス情報を示す場合に、前記ダウンリンクサブフレームについての前記フィードバック情報を前記第２ステータス情報に対応する第２フィードバック方式で前記ネットワークデバイスに送信することを決定するようさらに構成され、前記第２フィードバック方式において、前記フィードバック情報の第２コードブックは、予め構成されるダウンリンクサブフレームサブセットにおけるダウンリンクサブフレームに対応し、前記予め構成されるダウンリンクサブフレームサブセットは、予め構成されるダウンリンクサブフレームセットのサブセットであり、前記予め構成されるダウンリンクサブフレームセットは、前記端末に対して構成され、前記フィードバック情報を搬送するアップリンクサブフレームに対応する全キャリア上の全ダウンリンクサブフレームを含み、
前記送信モジュールは、前記フィードバック情報を前記第２フィードバック方式で前記ネットワークデバイスに送信するようさらに構成される、
請求項２５に記載の端末。
【請求項２９】
ネットワークデバイスであって、
端末のダウンリンクサブフレームをスケジューリングするよう構成された処理モジュールであって、前記端末は、キャリアアグリゲーションＣＡをサポートする端末である、処理モジュールと、
前記端末により第１フィードバック方式で送信されたフィードバック情報を受信するよう構成された受信モジュールであって、前記第１フィードバック方式において、前記フィードバック情報の第１コードブックは、即時的にスケジューリングされるダウンリンクサブフレームセットにおけるダウンリンクサブフレームに対応し、前記即時的にスケジューリングされるダウンリンクサブフレームセットは、前記ネットワークデバイスによって実際にスケジューリングされる前記端末の前記ダウンリンクサブフレームを含む、受信モジュールと
を備える、ネットワークデバイス。
【請求項３０】
前記処理モジュールは、前記ダウンリンクサブフレームにおけるダウンリンク制御チャネルにインデックスフィールドを付加するよう構成され、
前記インデックスフィールドの値は、前記即時的にスケジューリングされるダウンリンクサブフレームセットにおいて、まずキャリア、次にサブフレームの順に累積カウントを行うことにより取得されるカウント値である、
請求項２９に記載のネットワークデバイス。
【請求項３１】
前記処理モジュールは、前記ダウンリンクサブフレームにおける前記ダウンリンク制御チャネルに合計フィールドを付加するよう構成され、
前記合計フィールドは、前記即時的にスケジューリングされるダウンリンクサブフレームセットにおける、前記端末のスケジューリングされるダウンリンクサブフレームの総数を示すのに用いられる、または、
前記合計フィールドは、前記即時的にスケジューリングされるダウンリンクサブフレームセットにおける現在のダウンリンクサブフレーム番号に対応するダウンリンクサブフレームセットにおける、前記端末のスケジューリングされるダウンリンクサブフレームの総数を示すのに用いられる、または、
前記合計フィールドは、前記即時的にスケジューリングされるダウンリンクサブフレームセットにおける現在のダウンリンクサブフレーム番号に対応するダウンリンクサブフレームセットと、前記現在のダウンリンクサブフレーム番号のサブフレーム期間の前の全ダウンリンクサブフレームのサブフレーム番号に対応するダウンリンクサブフレームセットとにおける、前記端末のスケジューリングされるダウンリンクサブフレームの総数を示すのに用いられる、
請求項３０に記載のネットワークデバイス。
【請求項３２】
前記処理モジュールは、第１インジケーションフィールドを前記端末に送達するよう構成され、
前記第１インジケーションフィールドは、前記インデックスフィールドにより示される周期的な値設定のラウンド数を搬送する、または、前記第１インジケーションフィールドは、前記即時的にスケジューリングされるダウンリンクサブフレームセットにおける、前記端末の前記スケジューリングされるダウンリンクサブフレームの前記総数を示すのに用いられる、
請求項３１に記載のネットワークデバイス。
【請求項３３】
前記処理モジュールは、前記ダウンリンクサブフレームにおける前記ダウンリンク制御チャネルに合計フィールドを付加し、第１インジケーションフィールドを前記端末に送達するよう構成され、
前記合計フィールドおよび前記第１インジケーションフィールドは、前記即時的にスケジューリングされるダウンリンクサブフレームセットにおける、前記端末のスケジューリングされるダウンリンクサブフレームの総数を共同的に示すのに用いられ、前記第１インジケーションフィールドにおいて搬送されるビットは、上位ビットである、
請求項３０に記載のネットワークデバイス。
【請求項３４】
前記ネットワークデバイスは、送信モジュールをさらに備え、
前記送信モジュールは、第１インジケーションフィールドを前記端末に送達するよう構成され、
前記受信モジュールは、前記第１インジケーションフィールドが第１ステータス情報を示す場合に、前記端末により前記第１フィードバック方式で送信された前記フィードバック情報を受信するよう構成される、
請求項２９から３１のいずれか一項に記載のネットワークデバイス。
【請求項３５】
前記受信モジュールは、前記送信モジュールが、前記第１インジケーションフィールドを前記端末に送達した後に、前記第１インジケーションフィールドが第２ステータス情報を示す場合に、前記端末により第２フィードバック方式で送信された前記フィードバック情報を受信するようさらに構成され、
前記第２フィードバック方式において、前記フィードバック情報の第２コードブックは、予め構成されるダウンリンクサブフレームサブセットにおけるダウンリンクサブフレームに対応し、前記予め構成されるダウンリンクサブフレームサブセットは、予め構成されるダウンリンクサブフレームセットのサブセットであり、前記予め構成されるダウンリンクサブフレームセットは、前記端末に対して構成され、前記フィードバック情報を搬送するアップリンクサブフレームに対応する全キャリア上の全ダウンリンクサブフレームを含む、
請求項３４に記載のネットワークデバイス。
【請求項３６】
前記第１インジケーションフィールドは、アップリンクスケジューリンググラントＵＬ＿ｇｒａｎｔにおけるフィールドである、
請求項３２から３５のいずれか一項に記載のネットワークデバイス。
【発明の詳細な説明】
【技術分野】
【０００１】
本発明は、移動体通信技術の分野に関し、特に、情報送信方法、情報受信方法、およびデバイスに関する。
【背景技術】
【０００２】
ＬＴＥ（Ｌｏｎｇ  Ｔｅｒｍ  Ｅｖｏｌｕｔｉｏｎ、ロングタームエボリューション）では、ＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）メカニズムが用いられている。ダウンリンク伝送を一例として用いる。ＵＥ（Ｕｓｅｒ  Ｅｑｕｉｐｍｅｎｔ、ユーザ機器）が、ダウンリンクサブフレームにおいてＰＤＳＣＨ（Ｐｈｙｓｉｃａｌ  Ｄｏｗｎｌｉｎｋ  Ｓｈａｒｅｄ  Ｃｈａｎｎｅｌ、物理ダウンリンク共有チャネル）上で搬送される情報を受信した後、情報が正しく受信された場合、ＵＥは、対応するアップリンクサブフレームにおいてＰＵＣＣＨ（Ｐｈｙｓｉｃａｌ  Ｕｐｌｉｎｋ  Ｃｏｎｔｒｏｌ  Ｃｈａｎｎｅｌ、物理アップリンク制御チャネル）上でＡＣＫ（Ａｃｋｎｏｗｌｅｄｇｅｍｅｎｔ、肯定応答）をフィードバックするか、または情報が正しく受信されなかった場合、ＵＥは、対応するアップリンクサブフレームにおいてＰＵＣＣＨ上でＮＡＣＫ（Ｎｅｇａｔｉｖｅ  ＡＣＫｎｏｗｌｅｄｇｍｅｎｔ、否定応答）をフィードバックする。ＰＵＳＣＨ（Ｐｈｙｓｉｃａｌ  Ｕｐｌｉｎｋ  Ｓｈａｒｅｄ  Ｃｈａｎｎｅｌ、物理アップリンク共有チャネル）伝送が行われない場合、ＡＣＫ／ＮＡＣＫはＰＵＣＣＨ上で送信される。ＰＵＳＣＨ伝送が行われると、ＡＣＫ／ＮＡＣＫはＰＵＳＣＨ上で送信される必要があり、このＰＵＳＣＨは、ネットワークにより送信されるＰＤＣＣＨを用いてスケジューリングされる。
【０００３】
ＬＴＥはさらに、ＣＡ（Ｃａｒｒｉｅｒ  Ａｇｇｒｅｇａｔｉｏｎ、キャリアアグリゲーション）技術、すなわち、基地局が１つのＵＥに対して複数のキャリアを構成することでＵＥのデータレートを改善する技術をサポートする。
【０００４】
既存のＣＡにおいては、ＵＥは通常、予め構成されるキャリアセットおよび／または予め構成されるサブフレームセットに従って、対応する各キャリア上のダウンリンクサブフレームに対応するＡＣＫ／ＮＡＣＫを生成する。例えば、１つのＵＥが５つのキャリアを集約し、ＵＥに対して予め構成されるダウンリンクサブフレームは、その５つのキャリアのうち対応するキャリアの現在のＴＤＤ（Ｔｉｍｅ  Ｄｕｐｌｅｘｉｎｇ  Ｄｉｖｉｓｉｏｎ、時分割複信）アップリンク−ダウンリンク構成に対応するダウンリンクサブフレームである。例えば、２０のダウンリンクサブフレームがＵＥに対して予め構成される場合、ＵＥは、２０のＡＣＫ／ＮＡＣＫをフィードバックする必要がある。
【０００５】
ＬＴＥ技術のさらなる発展に伴い、将来、より多くのキャリアがＵＥに対して構成され得る。従来技術のフィードバック方式では、ＵＥは、より多数のビット、例えば、２２ビット（これは、現在の５つのキャリアのＣＡでサポートされるＡＣＫ／ＮＡＣＫビットの最大数である）よりも遥かに多くのビットを有するＡＣＫ／ＮＡＣＫのフィードバックをサポートする必要がある。しかしながら、基地局がＵＥに対して多くのキャリアを構成しても、基地局によって実際にスケジューリングされるダウンリンクサブフレームの数は、ＵＥに対して構成されるキャリアに含まれるダウンリンクサブフレームの数よりも遥かに少ないかもしれない。例えば、基地局は、ＵＥに対して３２のキャリアを構成し得、基地局は、各キャリアのＴＤＤアップリンク−ダウンリンク構成に従って、例えば１２８のダウンリンクサブフレームをスケジューリングすることができる。しかしながら、基地局は、実際には２０のダウンリンクサブフレームしかスケジューリングしないかもしれない。従来技術の方式では、ＵＥはやはり１２８のダウンリンクサブフレームに対応するＡＣＫ／ＮＡＣＫを基地局にフィードバックする必要があり、その結果、システムオーバーヘッドが比較的大きくなってしまう。
【発明の概要】
【０００６】
本発明の実施形態は、ＵＥがダウンリンクサブフレームに対応するＡＣＫ／ＮＡＣＫを基地局にフィードバックするときにシステムオーバーヘッドが比較的大きいという技術的課題を解決するべく、情報送信方法、情報受信方法、およびデバイスを提供する。
【０００７】
第１態様によれば、情報送信方法であって、端末が、ダウンリンクサブフレームについてのフィードバック情報を第１フィードバック方式でネットワークデバイスに送信することを決定する段階であって、第１フィードバック方式において、フィードバック情報の第１コードブックは、即時的にスケジューリングされるダウンリンクサブフレームセットにおけるダウンリンクサブフレームに対応し、即時的にスケジューリングされるダウンリンクサブフレームセットは、ネットワークデバイスによって実際にスケジューリングされる端末のダウンリンクサブフレームを含み、端末は、ＣＡをサポートする端末である、段階と、端末が、フィードバック情報を第１フィードバック方式でネットワークデバイスに送信する段階とを備える、方法が提供される。
【０００８】
第１態様を参照すると、第１態様の第１の可能な実現形態において、方法は、端末が、ダウンリンクサブフレームにおける検出されたダウンリンク制御チャネルに従って、ネットワークデバイスによってスケジューリングされるダウンリンクサブフレームを決定する段階をさらに備える。
【０００９】
第１態様の第１の可能な実現形態を参照すると、第１態様の第２の可能な実現形態において、方法は、端末が、ダウンリンク制御チャネル上で搬送されるインデックスフィールドを取得する段階をさらに備え、インデックスフィールドの値は、即時的にスケジューリングされるダウンリンクサブフレームセットにおいて、まずキャリア、次にサブフレームの順に累積カウントを行うことにより取得されるカウント値である。
【００１０】
第１態様の第２の可能な実現形態を参照すると、第１態様の第３の可能な実現形態において、方法は、端末が、ダウンリンク制御チャネル上で搬送される合計フィールドを取得する段階をさらに備え、合計フィールドは、即時的にスケジューリングされるダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットと、現在のダウンリンクサブフレーム番号のサブフレーム期間の前の全ダウンリンクサブフレームのサブフレーム番号に対応するダウンリンクサブフレームセットとにおける、端末のスケジューリングされるダウンリンクサブフレームの総数を示すのに用いられる。
【００１１】
第１態様の第３の可能な実現形態を参照すると、第１態様の第４の可能な実現形態において、方法は、端末が、ネットワークデバイスにより送達される第１インジケーションフィールドを受信する段階をさらに備え、第１インジケーションフィールドは、インデックスフィールドにより示される周期的な値設定のラウンド数を搬送する、または、第１インジケーションフィールドは、即時的にスケジューリングされるダウンリンクサブフレームセットにおける、端末のスケジューリングされるダウンリンクサブフレームの総数を示すのに用いられる。
【００１２】
第１態様の第２の可能な実現形態を参照すると、第１態様の第５の可能な実現形態において、方法は、端末が、ダウンリンク制御チャネル上で搬送される合計フィールドを取得し、端末が、ネットワークデバイスにより送達される第１インジケーションフィールドを受信する段階をさらに備え、合計フィールドおよび第１インジケーションフィールドは、即時的にスケジューリングされるダウンリンクサブフレームセットにおける、端末のスケジューリングされるダウンリンクサブフレームの総数を共同的に示すのに用いられ、第１インジケーションフィールドにおいて搬送されるビットは、上位ビットである。
【００１３】
第１態様、または第１態様の第１から第３の可能な実現形態のいずれか一つを参照すると、第１態様の第６の可能な実現形態において、端末が、ダウンリンクサブフレームについてのフィードバック情報を第１フィードバック方式でネットワークデバイスに送信することを決定する段階の前に、方法は、端末が、ネットワークデバイスにより送達される第１インジケーションフィールドを受信する段階をさらに備え、端末が、ダウンリンクサブフレームについてのフィードバック情報を第１フィードバック方式でネットワークデバイスに送信することを決定する段階は、第１インジケーションフィールドが第１ステータス情報を示す場合に、端末が、フィードバック情報を第１ステータス情報に対応する第１フィードバック方式でネットワークデバイスに送信することを決定する段階を含む。
【００１４】
第１態様の第６の可能な実現形態を参照すると、第１態様の第７の可能な実現形態において、端末が、フィードバック情報を第１フィードバック方式でネットワークデバイスに送信する段階は、端末が、取得された第１コードブックにＣＲＣを付加する段階と、端末が、ＣＲＣが付加されたフィードバックコードブックに対してチャネル符号化を行って、フィードバック情報を取得する段階と、端末が、フィードバック情報をネットワークデバイスに送信する段階とを含む。
【００１５】
第１態様の第４から第７の可能な実現形態のいずれか一つを参照すると、第１態様の第８の可能な実現形態において、第１インジケーションフィールドは、ＵＬ＿ｇｒａｎｔにおけるフィールドである。
【００１６】
第１態様の第６の可能な実現形態を参照すると、第１態様の第９の可能な実現形態において、端末が、ネットワークデバイスにより送達される第１インジケーションフィールドを受信する段階の後に、方法は、第１インジケーションフィールドが第２ステータス情報を示す場合に、端末が、ダウンリンクサブフレームについてのフィードバック情報を第２ステータス情報に対応する第２フィードバック方式でネットワークデバイスに送信することを決定する段階であって、第２フィードバック方式において、フィードバック情報の第２コードブックは、予め構成されるダウンリンクサブフレームサブセットにおけるダウンリンクサブフレームに対応し、予め構成されるダウンリンクサブフレームサブセットは、予め構成されるダウンリンクサブフレームセットのサブセットであり、予め構成されるダウンリンクサブフレームセットは、端末に対して構成され、フィードバック情報を搬送するアップリンクサブフレームに対応する全キャリア上の全ダウンリンクサブフレームを含む、段階と、端末が、フィードバック情報を第２フィードバック方式でネットワークデバイスに送信する段階とをさらに備える。
【００１７】
第２態様によれば、情報受信方法であって、ネットワークデバイスが、端末のダウンリンクサブフレームをスケジューリングする段階であって、端末は、ＣＡをサポートする端末である、段階と、ネットワークデバイスが、端末により第１フィードバック方式で送信されたフィードバック情報を受信する段階であって、第１フィードバック方式において、フィードバック情報の第１コードブックは、即時的にスケジューリングされるダウンリンクサブフレームセットにおけるダウンリンクサブフレームに対応し、即時的にスケジューリングされるダウンリンクサブフレームセットは、ネットワークデバイスによって実際にスケジューリングされる端末のダウンリンクサブフレームを含む、段階とを備える、方法が提供される。
【００１８】
第２態様を参照すると、第２態様の第１の可能な実現形態において、ネットワークデバイスが、端末のダウンリンクサブフレームをスケジューリングする段階は、ネットワークデバイスが、ダウンリンクサブフレームにおけるダウンリンク制御チャネルにインデックスフィールドを付加する段階を含み、インデックスフィールドの値は、即時的にスケジューリングされるダウンリンクサブフレームセットにおいて、まずキャリア、次にサブフレームの順に累積カウントを行うことにより取得されるカウント値である。
【００１９】
第２態様の第１の可能な実現形態を参照すると、第２態様の第２の可能な実現形態において、ネットワークデバイスが、端末のダウンリンクサブフレームをスケジューリングする段階は、ネットワークデバイスが、ダウンリンクサブフレームにおけるダウンリンク制御チャネルに合計フィールドを付加する段階をさらに含み、合計フィールドは、即時的にスケジューリングされるダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットと、現在のダウンリンクサブフレーム番号のサブフレーム期間の前の全ダウンリンクサブフレームのサブフレーム番号に対応するダウンリンクサブフレームセットとにおける、端末のスケジューリングされるダウンリンクサブフレームの総数を示すのに用いられる。
【００２０】
第２態様の第２の可能な実現形態を参照すると、第２態様の第３の可能な実現形態において、ネットワークデバイスが、端末のダウンリンクサブフレームをスケジューリングする段階は、ネットワークデバイスが、第１インジケーションフィールドを端末に送達する段階をさらに含み、第１インジケーションフィールドは、インデックスフィールドにより示される周期的な値設定のラウンド数を搬送する、または、第１インジケーションフィールドは、即時的にスケジューリングされるダウンリンクサブフレームセットにおける、端末のスケジューリングされるダウンリンクサブフレームの総数を示すのに用いられる。
【００２１】
第２態様の第１の可能な実現形態を参照すると、第２態様の第４の可能な実現形態において、ネットワークデバイスが、端末のダウンリンクサブフレームをスケジューリングする段階は、ネットワークデバイスが、ダウンリンクサブフレームにおけるダウンリンク制御チャネルに合計フィールドを付加し、第１インジケーションフィールドを端末に送達する段階をさらに含み、合計フィールドおよび第１インジケーションフィールドは、即時的にスケジューリングされるダウンリンクサブフレームセットにおける、端末のスケジューリングされるダウンリンクサブフレームの総数を共同的に示すのに用いられ、第１インジケーションフィールドにおいて搬送されるビットは、上位ビットである。
【００２２】
第２態様、または第２態様の第１から第２の可能な実現形態のいずれか一つを参照すると、第２態様の第５の可能な実現形態において、方法は、ネットワークデバイスが、第１インジケーションフィールドを端末に送達する段階をさらに備え、ネットワークデバイスが、端末により第１フィードバック方式で送信されたフィードバック情報を受信する段階は、第１インジケーションフィールドが第１ステータス情報を示す場合に、ネットワークデバイスが、端末により第１フィードバック方式で送信されたフィードバック情報を受信する段階を含む。
【００２３】
第２態様の第５の可能な実現形態を参照すると、第２態様の第６の可能な実現形態において、ネットワークデバイスが、第１インジケーションフィールドを端末に送達する段階の後に、方法は、第１インジケーションフィールドが第２ステータス情報を示す場合に、ネットワークデバイスが、端末により第２フィードバック方式で送信されたフィードバック情報を受信する段階をさらに備え、第２フィードバック方式において、フィードバック情報の第２コードブックは、予め構成されるダウンリンクサブフレームサブセットにおけるダウンリンクサブフレームに対応し、予め構成されるダウンリンクサブフレームサブセットは、予め構成されるダウンリンクサブフレームセットのサブセットであり、予め構成されるダウンリンクサブフレームセットは、端末に対して構成され、フィードバック情報を搬送するアップリンクサブフレームに対応する全キャリア上の全ダウンリンクサブフレームを含む。
【００２４】
第２態様の第３から第６の可能な実現形態のいずれか一つを参照すると、第２態様の第７の可能な実現形態において、第１インジケーションフィールドは、ＵＬ＿ｇｒａｎｔにおけるフィールドである。
【００２５】
第３態様によれば、端末であって、ダウンリンクサブフレームについてのフィードバック情報を第１フィードバック方式でネットワークデバイスに送信することを決定するよう構成された処理モジュールであって、第１フィードバック方式において、フィードバック情報の第１コードブックは、即時的にスケジューリングされるダウンリンクサブフレームセットにおけるダウンリンクサブフレームに対応し、即時的にスケジューリングされるダウンリンクサブフレームセットは、ネットワークデバイスによって実際にスケジューリングされる端末のダウンリンクサブフレームを含み、端末は、ＣＡをサポートする端末である、処理モジュールと、フィードバック情報を第１フィードバック方式でネットワークデバイスに送信するよう構成された送信モジュールとを備える、端末が提供される。
【００２６】
第３態様を参照すると、第３態様の第１の可能な実現形態において、処理モジュールは、ダウンリンクサブフレームにおける検出されたダウンリンク制御チャネルに従って、ネットワークデバイスによってスケジューリングされるダウンリンクサブフレームを決定するようさらに構成される。
【００２７】
第３態様の第１の可能な実現形態を参照すると、第３態様の第２の可能な実現形態において、処理モジュールは、ダウンリンク制御チャネル上で搬送されるインデックスフィールドを取得するようさらに構成され、インデックスフィールドの値は、即時的にスケジューリングされるダウンリンクサブフレームセットにおいて、まずキャリア、次にサブフレームの順に累積カウントを行うことにより取得されるカウント値である。
【００２８】
第３態様の第２の可能な実現形態を参照すると、第３態様の第３の可能な実現形態において、処理モジュールは、ダウンリンク制御チャネル上で搬送される合計フィールドを取得するようさらに構成され、合計フィールドは、即時的にスケジューリングされるダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットと、現在のダウンリンクサブフレーム番号のサブフレーム期間の前の全ダウンリンクサブフレームのサブフレーム番号に対応するダウンリンクサブフレームセットとにおける、端末のスケジューリングされるダウンリンクサブフレームの総数を示すのに用いられる。
【００２９】
第３態様の第３の可能な実現形態を参照すると、第３態様の第４の可能な実現形態において、端末は、ネットワークデバイスにより送達される第１インジケーションフィールドを受信するよう構成された受信モジュールをさらに備え、第１インジケーションフィールドは、インデックスフィールドにより示される周期的な値設定のラウンド数を搬送する、または、第１インジケーションフィールドは、即時的にスケジューリングされるダウンリンクサブフレームセットにおける、端末のスケジューリングされるダウンリンクサブフレームの総数を示すのに用いられる。
【００３０】
第３態様の第２の可能な実現形態を参照すると、第３態様の第５の可能な実現形態において、端末は、受信モジュールをさらに備え、処理モジュールは、ダウンリンク制御チャネル上で搬送される合計フィールドを取得するようさらに構成され、受信モジュールは、ネットワークデバイスにより送達される第１インジケーションフィールドを受信するよう構成され、合計フィールドおよび第１インジケーションフィールドは、即時的にスケジューリングされるダウンリンクサブフレームセットにおける、端末のスケジューリングされるダウンリンクサブフレームの総数を共同的に示すのに用いられ、第１インジケーションフィールドにおいて搬送されるビットは、上位ビットである。
【００３１】
第３態様、または第３態様の第１から第３の可能な実現形態のいずれか一つを参照すると、第３態様の第６の可能な実現形態において、端末は、受信モジュールをさらに備え、受信モジュールは、処理モジュールが、ダウンリンクサブフレームについてのフィードバック情報を第１フィードバック方式でネットワークデバイスに送信することを決定する前に、ネットワークデバイスにより送達される第１インジケーションフィールドを受信するよう構成され、処理モジュールは、第１インジケーションフィールドが第１ステータス情報を示す場合に、フィードバック情報を第１ステータス情報に対応する第１フィードバック方式でネットワークデバイスに送信することを決定するよう構成される。
【００３２】
第３態様の第６の可能な実現形態を参照すると、第３態様の第７の可能な実現形態において、送信モジュールは、取得された第１コードブックにＣＲＣを付加し、ＣＲＣが付加されたフィードバックコードブックに対してチャネル符号化を行って、フィードバック情報を取得し、フィードバック情報をネットワークデバイスに送信するよう構成される。
【００３３】
第３態様の第４から第７の可能な実現形態のいずれか一つを参照すると、第３態様の第８の可能な実現形態において、第１インジケーションフィールドは、ＵＬ＿ｇｒａｎｔにおけるフィールドである。
【００３４】
第３態様の第６の可能な実現形態を参照すると、第３態様の第９の可能な実現形態において、処理モジュールは、受信モジュールが、ネットワークデバイスにより送達される第１インジケーションフィールドを受信した後に、第１インジケーションフィールドが第２ステータス情報を示す場合に、ダウンリンクサブフレームについてのフィードバック情報を第２ステータス情報に対応する第２フィードバック方式でネットワークデバイスに送信することを決定するようさらに構成され、第２フィードバック方式において、フィードバック情報の第２コードブックは、予め構成されるダウンリンクサブフレームサブセットにおけるダウンリンクサブフレームに対応し、予め構成されるダウンリンクサブフレームサブセットは、予め構成されるダウンリンクサブフレームセットのサブセットであり、予め構成されるダウンリンクサブフレームセットは、端末に対して構成され、フィードバック情報を搬送するアップリンクサブフレームに対応する全キャリア上の全ダウンリンクサブフレームを含み、送信モジュールは、フィードバック情報を第２フィードバック方式でネットワークデバイスに送信するようさらに構成される。
【００３５】
第４態様によれば、ネットワークデバイスであって、端末のダウンリンクサブフレームをスケジューリングするよう構成された処理モジュールであって、端末は、ＣＡをサポートする端末である、処理モジュールと、端末により第１フィードバック方式で送信されたフィードバック情報を受信するよう構成された受信モジュールであって、第１フィードバック方式において、フィードバック情報の第１コードブックは、即時的にスケジューリングされるダウンリンクサブフレームセットにおけるダウンリンクサブフレームに対応し、即時的にスケジューリングされるダウンリンクサブフレームセットは、ネットワークデバイスによって実際にスケジューリングされる端末のダウンリンクサブフレームを含む、受信モジュールとを備える、ネットワークデバイスが提供される。
【００３６】
第４態様を参照すると、第４態様の第１の可能な実現形態において、処理モジュールは、ダウンリンクサブフレームにおけるダウンリンク制御チャネルにインデックスフィールドを付加するよう構成され、インデックスフィールドの値は、即時的にスケジューリングされるダウンリンクサブフレームセットにおいて、まずキャリア、次にサブフレームの順に累積カウントを行うことにより取得されるカウント値である。
【００３７】
第４態様の第１の可能な実現形態を参照すると、第４態様の第２の可能な実現形態において、処理モジュールは、ダウンリンクサブフレームにおけるダウンリンク制御チャネルに合計フィールドを付加するよう構成され、合計フィールドは、即時的にスケジューリングされるダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットと、現在のダウンリンクサブフレーム番号のサブフレーム期間の前の全ダウンリンクサブフレームのサブフレーム番号に対応するダウンリンクサブフレームセットとにおける、端末のスケジューリングされるダウンリンクサブフレームの総数を示すのに用いられる。
【００３８】
第４態様の第２の可能な実現形態を参照すると、第４態様の第３の可能な実現形態において、処理モジュールは、第１インジケーションフィールドを端末に送達するよう構成され、第１インジケーションフィールドは、インデックスフィールドにより示される周期的な値設定のラウンド数を搬送する、または、第１インジケーションフィールドは、即時的にスケジューリングされるダウンリンクサブフレームセットにおける、端末のスケジューリングされるダウンリンクサブフレームの総数を示すのに用いられる。
【００３９】
第４態様の第１の可能な実現形態を参照すると、第４態様の第４の可能な実現形態において、処理モジュールは、ダウンリンクサブフレームにおけるダウンリンク制御チャネルに合計フィールドを付加し、第１インジケーションフィールドを端末に送達するよう構成され、合計フィールドおよび第１インジケーションフィールドは、即時的にスケジューリングされるダウンリンクサブフレームセットにおける、端末のスケジューリングされるダウンリンクサブフレームの総数を共同的に示すのに用いられ、第１インジケーションフィールドにおいて搬送されるビットは、上位ビットである。
【００４０】
第４態様、または第４態様の第１から第２の可能な実現形態のいずれか一つを参照すると、第４態様の第５の可能な実現形態において、ネットワークデバイスは、送信モジュールをさらに備え、送信モジュールは、第１インジケーションフィールドを端末に送達するよう構成され、受信モジュールは、第１インジケーションフィールドが第１ステータス情報を示す場合に、端末により第１フィードバック方式で送信されたフィードバック情報を受信するよう構成される。
【００４１】
第４態様の第５の可能な実現形態を参照すると、第４態様の第６の可能な実現形態において、受信モジュールは、送信モジュールが、第１インジケーションフィールドを端末に送達した後に、第１インジケーションフィールドが第２ステータス情報を示す場合に、端末により第２フィードバック方式で送信されたフィードバック情報を受信するようさらに構成され、第２フィードバック方式において、フィードバック情報の第２コードブックは、予め構成されるダウンリンクサブフレームサブセットにおけるダウンリンクサブフレームに対応し、予め構成されるダウンリンクサブフレームサブセットは、予め構成されるダウンリンクサブフレームセットのサブセットであり、予め構成されるダウンリンクサブフレームセットは、端末に対して構成され、フィードバック情報を搬送するアップリンクサブフレームに対応する全キャリア上の全ダウンリンクサブフレームを含む。
【００４２】
第４態様の第３から第６の可能な実現形態のいずれか一つを参照すると、第４態様の第７の可能な実現形態において、第１インジケーションフィールドは、ＵＬ＿ｇｒａｎｔにおけるフィールドである。
【００４３】
本発明の実施形態において、端末は、ダウンリンクサブフレームについてのフィードバック情報を第１フィードバック方式でネットワークデバイスに送信してよい。すなわち、フィードバック情報の第１コードブックが、即時的にスケジューリングされるダウンリンクサブフレームセットに従って決定される。これは、端末が、ネットワークデバイスによって実際にスケジューリングされるダウンリンクサブフレームについてフィードバックを行うことに相当する。このようにすることで、ネットワークデバイスによって実際にスケジューリングされていないダウンリンクサブフレームに関する情報がフィードバックされる必要がなく、第１コードブックに含まれるビット数は、従来技術では端末によりフィードバックされる必要があったビット数よりも少なくなる。これにより、従来技術と比較してシステムオーバーヘッドが大幅に低減する。
【図面の簡単な説明】
【００４４】
【図１】本発明の一実施形態に係る情報送信方法のフローチャートである。
【００４５】
【図２】本発明の一実施形態に係る情報受信方法のフローチャートである。
【００４６】
【図３】本発明の一実施形態に係る第１インジケーションフィールドの模式図である。
【００４７】
【図４】本発明の一実施形態に係る端末の構造ブロック図である。
【００４８】
【図５】本発明の一実施形態に係るネットワークデバイスの構造ブロック図である。
【００４９】
【図６】本発明の一実施形態に係る端末の模式構造図である。
【００５０】
【図７】本発明の一実施形態に係るネットワークデバイスの模式構造図である。
【発明を実施するための形態】
【００５１】
本発明の実施形態の目的、技術的解決手段、および利点をより明確にすべく、以下、本発明の実施形態における添付の図面を参照して、本発明の実施形態における技術的解決手段を明確かつ完全に説明する。説明される実施形態は、本発明の実施形態の一部であって全てではないことは明らかである。当業者により本発明の実施形態に基づいて創造的努力なく得られる全ての他の実施形態が、本発明の保護範囲に属するものとする。
【００５２】
以下、当業者の理解を容易にするべく、本発明の実施形態におけるいくつかの用語を説明する。
【００５３】
（１）端末とは、ユーザに音声および／またはデータ接続性を提供するデバイスである。例えば、端末は、無線接続機能を有する携帯デバイス、または無線モデムに接続される処理デバイスであってよい。端末は、ＲＡＮを用いてコアネットワークと通信し、音声および／またはデータをＲＡＮと交換してよい。端末は、ＵＥ（Ｕｓｅｒ  Ｅｑｕｉｐｍｅｎｔ、ユーザ機器）、無線端末、移動端末、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動コンソール（Ｍｏｂｉｌｅ）、遠隔局（Ｒｅｍｏｔｅ  Ｓｔａｔｉｏｎ）、ＡＰ（Ａｃｃｅｓｓ  Ｐｏｉｎｔ、アクセスポイント）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、またはユーザデバイス（Ｕｓｅｒ  Ｄｅｖｉｃｅ）等と称することがある。例えば、端末は、携帯電話（または「セルラー」電話と称する）、移動端末を有するコンピュータ、または、ＰＣＳ（Ｐｅｒｓｏｎａｌ  Ｃｏｍｍｕｎｉｃａｔｉｏｎ  Ｓｅｒｖｉｃｅ、パーソナル通信サービス）電話、コードレス電話機セット、ＳＩＰ（セッション開始プロトコル）電話、ＷＬＬ（Ｗｉｒｅｌｅｓｓ  Ｌｏｃａｌ  Ｌｏｏｐ、無線ローカルループ）局、もしくはＰＤＡ（Ｐｅｒｓｏｎａｌ  Ｄｉｇｉｔａｌ  Ａｓｓｉｓｔａｎｔ、パーソナルデジタルアシスタント）のような、持ち運び可能な、ポケットサイズの、携帯型の、コンピュータ内蔵型の、もしくは車載用の移動体装置であってよい。
【００５４】
（２）基地局（例えばアクセスポイント）は、具体的には、アクセスネットワーク内のエアインタフェースを介し、１つまたは複数のセクタを用いて無線端末と通信するデバイスであってよい。基地局は、受信されたオーバー・ジ・エア・フレームとＩＰパケットとの間で変換を行い、無線端末とアクセスネットワークの残りの部分との間のルータとして機能するよう構成されてよい。アクセスネットワークの残りの部分は、インターネットプロトコル（ＩＰ）ネットワークを含んでよい。基地局はさらに、エアインタフェースの属性管理を調整してよい。例えば、基地局は、ＬＴＥ−Ａにおける進化型ノードＢ（ＮｏｄｅＢまたはｅＮＢもしくはｅ−ＮｏｄｅＢ、ｅｖｏｌｕｔｉｏｎａｌ  Ｎｏｄｅ  Ｂ）であってよい。これは、本発明の実施形態において限定されるものではない。
【００５５】
（３）本発明の実施形態における「システム」および「ネットワーク」という用語は、互いに交換可能なものとして用いられてよい。「複数の」という用語は、２つまたは２つよりも多くのものを指す。「および／または」という用語は、関連付けられた複数の物を説明するための連合関係であり、３つの関係が存在し得ることを示す。例えば、Ａおよび／またはＢは、以下の３つの場合、すなわち、Ａのみが存在すること、ＡおよびＢの両方が存在すること、ならびにＢのみが存在することを表してよい。加えて、記号「／」は、別途指定のない限り、関連付けられた複数の物の間の「または」の関係を一般に示す。
【００５６】
まず、本発明の実施形態の背景を説明する。
【００５７】
ＬＴＥシステムにおいては、基地局によるスケジューリングに基づいてサービス伝送が行われる。スケジューリングの基本的な時間単位は１サブフレームであり、１サブフレームは、複数の時間領域シンボルを含む。具体的なスケジューリング手順は以下の通りである。基地局が、制御チャネル、例えば、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）またはＥＰＤＣＣＨ（Ｅｎｈａｎｃｅｄ  ＰＤＣＣＨ、拡張型物理ダウンリンク制御チャネル）を送信する。基地局により送信される制御チャネルは、ＰＤＳＣＨまたはＰＵＳＣＨのスケジューリング情報を搬送してよく、スケジューリング情報は、リソース割り振り情報ならびに変調および符号化スキームのような制御情報を含む。ＵＥは、サブフレームにおいて制御チャネルを検出し、検出された制御チャネル上で搬送されるスケジューリング情報に従って、ダウンリンクデータチャネルを受信またはアップリンクデータチャネルを送信する。
【００５８】
ＬＴＥは、ＦＤＤ（Ｆｒｅｑｕｅｎｃｙ  Ｄｕｐｌｅｘｉｎｇ  Ｄｉｖｉｓｉｏｎ、周波数分割複信）およびＴＤＤの２つの複信モードをサポートする。ＦＤＤシステムでは、アップリンク伝送とダウンリンク伝送とが、異なるキャリア上で行われる。ＴＤＤシステムでは、アップリンク伝送とダウンリンク伝送とが、異なる時間に同一のキャリア上で行われる。具体的には、１つのキャリアは、ダウンリンクサブフレーム、アップリンクサブフレーム、およびスペシャルサブフレームを含む。スペシャルサブフレームは、ＤｗＰＴＳ（Ｄｏｗｎｌｉｎｋ  Ｐｉｌｏｔ  Ｔｉｍｅ  Ｓｌｏｔ、ダウンリンクパイロットタイムスロット）、ＧＰ（Ｇｕａｒｄ  Ｐｅｒｉｏｄ、ガード区間）、およびＵｐＰＴＳ（Ｕｐｌｉｎｋ  Ｐｉｌｏｔ  Ｔｉｍｅ  Ｓｌｏｔ、アップリンクパイロットタイムスロット）の３つの部分を含む。ＧＰは主に、ダウンリンク・アップリンク間コンポーネント切り替え時間および伝播遅延を補償するのに用いられる。加えて、ダウンリンクデータはＤｗＰＴＳ内で伝送されてよいが、ＰＵＳＣＨをＵｐＰＴＳ内で伝送することはできない。よって、この観点から、スペシャルサブフレームをダウンリンクサブフレームとみなしてもよい。ＬＴＥは現在、７つの異なるＴＤＤアップリンク−ダウンリンク構成をサポートしている。表１に示すように、Ｄはダウンリンクサブフレームを表し、Ｓはスペシャルサブフレームを表し、Ｕはアップリンクサブフレームを表す。
表１  ＬＴＥシステムにおけるＴＤＤアップリンク−ダウンリンク構成
【表１】
2019216460.tif 000003
【００５９】
ＬＴＥシステムでは、ＨＡＲＱメカニズムが用いられる。ダウンリンク伝送を一例として用いる。ＵＥがＰＤＳＣＨを受信した後、ＰＤＳＣＨが正しく受信された場合、ＵＥはＡＣＫをＰＵＣＣＨ上でフィードバックするか、またはＰＤＳＣＨが正しく受信されなかった場合、ＵＥはＮＡＣＫをＰＵＣＣＨ上でフィードバックする。ＦＤＤにおいて、ＵＥは、サブフレームｎ−４でＰＤＳＣＨを受信した後、サブフレームｎでＡＣＫ／ＮＡＣＫをフィードバックする。ＴＤＤにおいては、ＵＥにより受信されるＰＤＳＣＨと、ＵＥによりフィードバックされる対応するＡＣＫ／ＮＡＣＫとの間の時間的な順序関係を表２に示す。表２において、数字が振られたサブフレームは、ＡＣＫ／ＮＡＣＫをフィードバックするのに用いられるアップリンクサブフレームｎであり、その数字は、ダウンリンクサブフレームセットｎ−ｋ（ｋはＫに属する）におけるＰＤＳＣＨに対応するＡＣＫ／ＮＡＣＫがアップリンクサブフレームｎでフィードバックされる必要があることを示す。例えば、アップリンク−ダウンリンク構成１でサブフレーム２においてＫ＝｛７，６｝であるとき、２つのダウンリンクサブフレームｎ−７およびｎ−６におけるＰＤＳＣＨに対応するＡＣＫ／ＮＡＣＫをフィードバックするのにアップリンクサブフレーム２が用いられる。この場合、ダウンリンクサブフレームｎ−７はダウンリンクサブフレーム５であり、ダウンリンクサブフレームｎ−６はダウンリンクサブフレーム６である。ＰＵＳＣＨ伝送が行われない場合、ＰＵＣＣＨ上でＡＣＫ／ＮＡＣＫが送信される。ＰＵＳＣＨ伝送が行われると、ＡＣＫ／ＮＡＣＫはＰＵＳＣＨ上で送信される必要があり、このＰＵＳＣＨは、ネットワークにより送信されるＰＤＣＣＨを用いてスケジューリングされる。
表２  ＴＤＤシステムにおけるＰＤＳＣＨとＰＤＳＣＨに対応するＡＣＫ／ＮＡＣＫとの間の時間的な順序関係
【表２】
2019216460.tif 000004
【００６０】
ＬＴＥはさらに、ＣＡ技術、すなわち、基地局が１つのＵＥに対して複数のキャリアを構成することでＵＥのデータレートを改善する技術をサポートする。ＣＡが行われるとき、これら複数のキャリアは基地局によって時間的に同時に送信され、ＵＥは、各キャリアをスケジューリングするためのＰＤＣＣＨおよび対応するＰＤＳＣＨを別々に検出してよい。各キャリアの具体的な検出プロセスは、前述の単一キャリアの場合と同様である。
【００６１】
ＬＴＥシステムは、ＦＤＤ  ＣＡ、ＴＤＤ  ＣＡ、およびＦＤＤ＋ＴＤＤ  ＣＡをサポートする。ＴＤＤ  ＣＡは、同一のアップリンク−ダウンリンク構成を有するＴＤＤ  ＣＡと、異なる複数のアップリンク−ダウンリンク構成を有するＴＤＤ  ＣＡとにさらに分類される。現在のリリースにおけるＬＴＥは、最大５つのキャリアのキャリアアグリゲーションをサポートすることができる。ＣＡモードでは、１つの一次コンポーネントキャリアと少なくとも１つの二次コンポーネントキャリアとが含まれ、ＡＣＫ／ＮＡＣＫを搬送するＰＵＣＣＨは、ＵＥの一次コンポーネントキャリア上でのみ送信される。加えて、ＡＣＫ／ＮＡＣＫがフィードバックされる必要があるアップリンクサブフレームにおいてＰＵＳＣＨがＵＥに対してスケジューリングされる場合、そのＡＣＫ／ＮＡＣＫは、ＰＵＣＣＨではなくＰＵＳＣＨ上で搬送される必要がある。
【００６２】
既存のＣＡでは、予め構成されるキャリアセットおよび／または予め構成されるサブフレームセットに従って、ＡＣＫ／ＮＡＣＫコードブックが生成される。例えば、現在のネットワークで主に採用されているＴＤＤアップリンク−ダウンリンク構成２を一例として用いる。あるキャリア上のアップリンクサブフレーム２は、４つのＡＣＫ／ＮＡＣＫビットのフィードバックをサポートしてよい。ＴＤＤアップリンク−ダウンリンク構成２での５つのキャリアのＣＡは、２０のＡＣＫ／ＮＡＣＫビットに対応する。この場合、アップリンクサブフレーム２に関連付けられる予め構成されるダウンリンクサブフレームセットは、ＵＥに対して構成される５つのキャリア上のダウンリンクサブフレーム４、５、６、および８を含む。よって、アップリンクサブフレーム２に関連付けられる予め構成されるダウンリンクサブフレームセットに基づいて、アップリンクサブフレーム２においてフィードバックされる必要があるＡＣＫ／ＮＡＣＫコードブックが決定される。ＡＣＫ／ＮＡＣＫコードブックは、符号化されていない元のＡＣＫ／ＮＡＣＫビットが特定の順序でソートされたビットストリームである。本例におけるＡＣＫ／ＮＡＣＫコードブックのサイズは、２０である。具体的には、まずサブフレーム、次にキャリアの順でソートが行われてよい。すなわち、まずキャリア１上のダウンリンクサブフレーム４、５、６、および８に対応するＡＣＫ／ＮＡＣＫビットがソートされ、次いでキャリア２上のダウンリンクサブフレーム４、５、６、および８に対応するＡＣＫ／ＮＡＣＫビットがソートされ、以下同様に続く。詳細には、ＡＣＫ／ＮＡＣＫコードブックにおいて、スケジューリングされていないダウンリンクサブフレーム、またはＵＥがダウンリンクデータを受信しないダウンリンクサブフレームに対応するＡＣＫ／ＮＡＣＫビットの位置には、ＮＡＣＫがフィルインされる。
【００６３】
ＬＴＥ技術のさらなる発展に伴い、将来、より多数のビット、例えば２２ビット（現在の５つのキャリアのＣＡによりサポートされるＡＣＫ／ＮＡＣＫビットの最大数）よりも遥かに多くのビットを有するＡＣＫ／ＮＡＣＫのフィードバックがサポートされる必要がある。１つのシナリオでは、より多くのキャリアのＣＡ（以下スーパーＣＡと称する）、例えば３２キャリアのＣＡが導入される。この場合、３２キャリアに対してＴＤＤアップリンク−ダウンリンク構成２でＣＡが行われる場合には、１２８ビットのＡＣＫ／ＮＡＣＫがフィードバックされる必要がある。スーパーＣＡでは、ＵＥに対して比較的多数のキャリアが構成される場合であっても、あるサブフレームにおいてＵＥに対して実際にスケジューリングされるキャリアおよび／またはダウンリンクサブフレームの数は多くないことがある。例えば、ＴＤＤアップリンク−ダウンリンク構成２で３２キャリアが構成される場合、アップリンクサブフレーム２に関連付けられる予め構成されるダウンリンクサブフレームセットは、１２８のダウンリンクサブフレームを含む。しかしながら、実際にスケジューリングされるダウンリンクサブフレームの数は、１２８よりも遥かに少ないかもしれない。例えば、１０のキャリアのみがスケジューリングされ、５０以下のＡＣＫ／ＮＡＣＫビットがフィードバックされることになる。この場合、予め構成されるダウンリンクサブフレームセットに基づいてＡＣＫ／ＮＡＣＫコードブックを決定する現在の方式がなおも用いられる場合には、多数のＮＡＣＫをフィルインする必要があり、その結果、比較的大きなオーバーヘッドを有する新たなＰＵＣＣＨフォーマットが用いられるか、ＰＵＳＣＨ上で過剰なリソースオーバーヘッドが占有される。別の観点では、指定されたフォーマットにおけるＰＵＣＣＨまたはＰＵＳＣＨ上の特定の数のリソースが用いられる場合であっても、多数のＮＡＣＫがフィリングされたＡＣＫ／ＮＡＣＫコードブックの復調性能は、ＮＡＣＫがフィルインされていないＡＣＫ／ＮＡＣＫコードブックの復調性能よりも著しく低くなる。特に、復号の複雑さを考慮すると、復号を実施するときには従来のフィルインされたＮＡＣＫの情報は考慮されなくてよい。よって、スーパーＣＡにおいてＡＣＫ／ＮＡＣＫをどのように伝送するかは、解決されるべき至急の課題である。
【００６４】
本発明の本実施形態においては、前述の課題が十分に考慮され、端末は、ネットワークデバイス（例えば基地局）によって実際にスケジューリングされるダウンリンクサブフレームに従ってフィードバックを行い、ネットワークデバイスによってスケジューリングされていないダウンリンクサブフレームは考慮されない。これにより、端末によってフィードバックされるコードブックのビット数が低減し、システムオーバーヘッドが低減する。加えて、ネットワークデバイスによってスケジューリングされていないダウンリンクサブフレームは考慮されないので、多数のＮＡＣＫがコードブックにフィルインされる必要がなく、これにより、復調性能が高まる。さらに、ＡＣＫ／ＮＡＣＫコードブックの生成方式は、アップリンクリソースの利用が改善するように最適化されてよい。
【００６５】
以下、本明細書における添付の図面を参照して、本発明の実施形態をさらに詳細に説明する。
【００６６】
図１を参照すると、図１は、本発明の一実施形態に係る情報送信方法のフローチャートである。図１に示すように、以下の説明の過程では、ネットワークデバイスが基地局であることを一例として用いる。以下の通り、本方法の段階を説明する。
【００６７】
段階１０１：端末が、ダウンリンクサブフレームについてのフィードバック情報を第１フィードバック方式でネットワークデバイスに送信することを決定する。第１フィードバック方式において、フィードバック情報の第１コードブックは、即時的にスケジューリングされるダウンリンクサブフレームセットにおけるダウンリンクサブフレームに対応し、即時的にスケジューリングされるダウンリンクサブフレームセットは、ネットワークデバイスによって実際にスケジューリングされる端末のダウンリンクサブフレームを含み、端末は、ＣＡをサポートする端末である。
【００６８】
段階１０２：端末が、フィードバック情報を第１フィードバック方式でネットワークデバイスに送信する。
【００６９】
本発明の本実施形態においては、第１フィードバック方式でフィードバックされる元のＡＣＫ／ＮＡＣＫビットが特定の順序でソートされたビットストリームを第１コードブックと称し、この第１コードブックを符号化して符号化フィードバック情報を取得する。例えば、第１コードブックを取得するには、元のＡＣＫ／ＮＡＣＫビットが、まずサブフレーム、次にキャリアの順にソートされてよい。
【００７０】
上述したスーパーＣＡでのコードブックの生成に基づくと、即時的にスケジューリングされるダウンリンクサブフレームセットに基づいてＡＣＫ／ＮＡＣＫコードブックが生成されてよく、即時的にスケジューリングされるダウンリンクサブフレームセットは、上述の予め構成されるダウンリンクサブフレームセットのサブセットである。すなわち、基地局の実際にスケジューリングされるダウンリンクサブフレームは、予め構成されるダウンリンクサブフレームセットに含まれる全ダウンリンクサブフレームであってよく、または予め構成されるダウンリンクサブフレームセットに含まれる一部のダウンリンクサブフレームであってもよい。
【００７１】
１０キャリアが端末に対して構成され、各キャリアのアップリンク−ダウンリンク構成がＴＤＤアップリンク−ダウンリンク構成２であると仮定する。アップリンクサブフレーム２を一例として用いる。アップリンクサブフレーム２に関連付けられる予め構成されるダウンリンクサブフレームセットは、全１０キャリア上の全てのダウンリンクサブフレーム４、５、６、および８を含む。スケジューリングの一シナリオにおいて、基地局によって実際にスケジューリングされる、即時的にスケジューリングされるダウンリンクサブフレームセットは、キャリア１〜７上のダウンリンクサブフレーム４と、キャリア１、キャリア３、およびキャリア５上のダウンリンクサブフレーム５と、キャリア１〜６上のダウンリンクサブフレーム６と、キャリア１〜５上のダウンリンクサブフレーム８とを含むと仮定する。現在のアップリンクサブフレーム２において伝送される必要があるＡＣＫ／ＮＡＣＫコードブック（第１コードブック）が、即時的にスケジューリングされるダウンリンクサブフレームセットに従って決定される。この場合、決定されるＡＣＫ／ＮＡＣＫコードブックのサイズは２１であり、各ダウンリンクサブフレームが１つのＡＣＫ／ＮＡＣＫビットに対応すると仮定する。
【００７２】
任意選択的に、本発明の別の実施形態において、本方法は、端末が、ダウンリンクサブフレームにおける検出されたダウンリンク制御チャネルに従って、ネットワークデバイスによってスケジューリングされるダウンリンクサブフレームを決定する段階をさらに備える。
【００７３】
一般に、端末は、ダウンリンク制御チャネルを検出したとき、そのダウンリンク制御チャネル上で搬送されるスケジューリング情報に従って、ダウンリンクデータチャネルを受信またはアップリンクデータチャネルを送信してよい。よって、端末は、ダウンリンク制御チャネルを検出したとき、そのダウンリンク制御チャネルに対応するダウンリンクサブフレームが基地局によってスケジューリングされていると決定してよい。すなわち、端末は、検出されたダウンリンク制御チャネルに従って、基地局によってスケジューリングされるダウンリンクサブフレームを決定してよい。
【００７４】
任意選択的に、本発明の別の実施形態において、本方法は、端末が、ダウンリンク制御チャネル上で搬送されるインデックスフィールドを取得する段階をさらに備える。インデックスフィールドの値は、即時的にスケジューリングされるダウンリンクサブフレームセットにおいて、まずキャリア、次にサブフレームの順に累積カウントを行うことにより取得されるカウント値である。
【００７５】
端末が、検出されたダウンリンク制御チャネルのみに従って、基地局によって実際にスケジューリングされるダウンリンクサブフレームを決定する場合、基地局が１つのダウンリンクサブフレームをスケジューリングしているものの、端末がそのダウンリンクサブフレームにおいてダウンリンク制御チャネルを検出しないとき、端末は、基地局がそのダウンリンクサブフレームをスケジューリングしていないと決定し得る。よって、端末によって決定される結果は十分に正確でない。この課題を解決するべく、本実施形態ではインデックスフィールドが導入される。
【００７６】
本実施形態において、各ダウンリンク制御チャネルがインデックスフィールドを搬送し、インデックスフィールドは、例えばＤＡＩ（Ｄｏｗｎｌｉｎｋ  Ａｓｓｉｇｎｍｅｎｔ  Ｉｎｄｅｘ、ダウンリンク割り当てインデックス）インデックスフィールドであってよい。ＤＡＩインデックスフィールドは、新たに付加されるビットであってよく、現在のダウンリンク制御チャネル上の既存のビットであってよく、または暗黙的非ビットインジケータ、例えば、スクランブリングコードまたはいくつかのビットのいくつかのステータスの組合せであってもよい。
【００７７】
以下、各ダウンリンク制御チャネルが２ビットＤＡＩインデックスフィールドを含む一例を用いて、端末が、ＤＡＩインデックスフィールドに従って、アクセスネットワークデバイス側（例えば基地局）によって理解されるものと一致するＡＣＫ／ＮＡＣＫコードブックを特定するやり方を説明する。
【００７８】
本実施形態において、それぞれのダウンリンク制御チャネル上のＤＡＩインデックスフィールドの値が、まずキャリア、次にサブフレームの順に逐次累積されてよい。例えば、累積値は、毎回１ずつ増加する。現在は２ビットＤＡＩインデックスのみ存在するので、周期的カウントを行う必要があることに留意されたい。例えば、以下の式が用いられる。Ｙ＝（Ｘ−１）ｍｏｄ４＋１      （１）
【００７９】
式（１）において、ｍｏｄは、モジュロ演算を示す。Ｘ＝１、５、および９のとき、対応するＤＡＩインデックスフィールドの値（すなわち、Ｙの値）は同じであり、例えば１であることがわかる。例えば、この場合、ＤＡＩインデックスフィールドの値は、「００」であってよい。すなわち、ＤＡＩインデックスフィールドが「００」であるとき、Ｙの値は１である。Ｘは実際にスケジューリングされるダウンリンクサブフレームの累積カウント値であり、ＹはＤＡＩインデックスフィールドの実際の値、すなわち、前述の式に従ってモジュロ演算を行うことにより取得される値である。当然ながら、前述の式（１）は単に一例であり、周期的な値カウントが２ビットＤＡＩインデックスフィールドの４つのステータスに従って逐次行われるのであれば、別の累積カウント方法を除外するものではない。例えば、実際の値０、１、２、および３に従って周期的な値設定が行われてよい。
【００８０】
このようにすることで、端末がいくつかのダウンリンク制御チャネルを検出し漏らした場合、例えば、端末がＤＡＩインデックスフィールド値が１および４であるダウンリンク制御チャネルを連続的に受信した場合、端末は、インデックスフィールド値が１および４であるダウンリンク制御チャネルの間の、ＤＡＩインデックスフィールド値が２および３である２つのダウンリンク制御チャネルが未検出であることを認識し得る。この場合、端末は、ＡＣＫ／ＮＡＣＫコードブック（第１コードブック）を決定するとき、前述の２つの未検出ダウンリンク制御チャネルに対応するダウンリンクサブフレームに関連付けられるＡＣＫ／ＮＡＣＫビット位置に２つのＮＡＣＫを配置、すなわち、ゼロをフィルインしてよい。これは、基地局によって実際にスケジューリングされるダウンリンクサブフレームが決定されることに相当する。
【００８１】
任意選択的に、本発明の別の実施形態において、本方法は、端末が、ダウンリンク制御チャネル上で搬送される合計フィールドを取得する段階をさらに備える。合計フィールドは、即時的にスケジューリングされるダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットと、現在のダウンリンクサブフレーム番号のサブフレーム期間の前の全ダウンリンクサブフレームのサブフレーム番号に対応するダウンリンクサブフレームセットとにおける、端末のスケジューリングされるダウンリンクサブフレームの総数を示すのに用いられる。
【００８２】
ＤＡＩ合計フィールドは、ＡＣＫ／ＮＡＣＫコードブックのビット数を示すのに用いられ、このビット数をコードブックサイズと称してもよい。コードブックサイズは、予め構成されるダウンリンクサブフレームセットに対応するＡＣＫ／ＮＡＣＫのビット数よりも小さく、即時的にスケジューリングされるダウンリンクサブフレームセットにおけるダウンリンクサブフレームまたはトランスポートブロックの数よりも大きいか、またはこれに等しい。コードブックサイズが、即時的にスケジューリングされるダウンリンクサブフレームセットにおけるダウンリンクサブフレームまたはトランスポートブロックの数よりも大きいとき、ＵＥおよび基地局の両方が、少なくとも１つのＮＡＣＫがコードブックの末尾にフィルインされていると決定し、フィルインされるＮＡＣＫの具体的な数は、コードブックのビット数から、即時的にスケジューリングされるダウンリンクサブフレームセットにおける、ダウンリンクデータが実際にスケジューリングされているダウンリンクサブフレームまたはトランスポートブロックの数を引いたものに等しい。
【００８３】
前述の実施形態から、端末が、２つのダウンリンク制御チャネル上のＤＡＩインデックスフィールドの値に従って、この２つのダウンリンク制御チャネルの間の別のダウンリンク制御チャネルが検出されていないかどうかを決定してよいことがわかる。しかしながら、端末は、ＤＡＩインデックスフィールドのみに従って、末尾のダウンリンク制御チャネルが検出されていないかどうかを決定することができない。例えば、端末が最後の１つまたは２つのダウンリンク制御チャネルを検出し漏らした場合、例えば、端末が、ＤＡＩインデックスフィールド値が１および２であるダウンリンク制御チャネルを連続的に受信した場合、端末は、ＤＡＩインデックスフィールドに従って、ＤＡＩインデックスフィールド値が２よりも大きいダウンリンク制御チャネルが検出されたかどうかを決定することができない。この課題を解決するべく、本実施形態では合計フィールドが導入される。合計フィールドは、例えばＤＡＩ合計フィールドであってよく、ＤＡＩインデックスフィールドと共同的に用いられてよい。
【００８４】
本実施形態において、各ダウンリンク制御チャネルは、ＤＡＩインデックスフィールドに加え、ＤＡＩ合計フィールドを搬送してよい。ＤＡＩ合計フィールドは、新たに付加されるビットであってよく、現在のダウンリンク制御チャネル上の既存のビットであってよく、または暗黙的非ビットインジケータ、例えば、スクランブリングコードまたはいくつかのビットのいくつかのステータスの組合せであってもよい。
【００８５】
以下、各ダウンリンク制御チャネルが２ビットＤＡＩ合計フィールドを含む一例を用いて、端末が、ＤＡＩインデックスフィールドおよびＤＡＩ合計フィールドに従って、アクセスネットワークデバイス側（例えば基地局）によって理解されるものと一致するＡＣＫ／ＮＡＣＫコードブックを特定するやり方を説明する。
【００８６】
ＤＡＩ合計フィールドについては、いくつかの異なる値設定方式が存在してよく、これらの方式を下記で別々に説明する。
【００８７】
［値設定方式１］
【００８８】
ＤＡＩ合計フィールドは、現在のダウンリンクサブフレーム番号に対応するダウンリンクサブフレームセットにおける、端末のスケジューリングされるダウンリンクサブフレームの総数を示すのに用いられてよい。
【００８９】
例えば、１０キャリアが端末に対して構成され、各キャリアのアップリンク−ダウンリンク構成がＴＤＤアップリンク−ダウンリンク構成２であると仮定する。スケジューリングの一シナリオにおいて、基地局によって実際にスケジューリングされる、即時的にスケジューリングされるダウンリンクサブフレームセットは、キャリア１〜７上のダウンリンクサブフレーム４と、キャリア１、キャリア３、およびキャリア５上のダウンリンクサブフレーム５と、キャリア１〜６上のダウンリンクサブフレーム６と、キャリア１〜５上のダウンリンクサブフレーム８とを含むと仮定する。
【００９０】
例えば、番号が４であるダウンリンクサブフレーム（すなわち、ダウンリンクサブフレーム４）について、ダウンリンクサブフレーム４に対応するダウンリンクサブフレームセットは、キャリア１〜７上の７つのダウンリンクサブフレーム４を含み、ダウンリンクサブフレーム４に対応するＤＡＩ合計フィールドは、ダウンリンクサブフレーム４に対応するダウンリンクサブフレームセットにおける、端末のスケジューリングされるダウンリンクサブフレーム４の総数を示すのに用いられてよい。例えば、端末は、キャリア１〜３上のダウンリンクサブフレーム４のみをスケジューリングしてよい。
【００９１】
［値設定方式２］
【００９２】
合計フィールドは、即時的にスケジューリングされるダウンリンクサブフレームセットにおける現在のダウンリンクサブフレーム番号に対応するダウンリンクサブフレームセットと、現在のダウンリンクサブフレーム番号のサブフレーム期間の前の全ダウンリンクサブフレームのサブフレーム番号に対応するダウンリンクサブフレームセットとにおける、端末のスケジューリングされるダウンリンクサブフレームの総数を示すのに用いられる。
【００９３】
例えば、１０キャリアが端末に対して構成され、各キャリアのアップリンク−ダウンリンク構成がＴＤＤアップリンク−ダウンリンク構成２であると仮定する。スケジューリングの一シナリオにおいて、基地局によって実際にスケジューリングされる、即時的にスケジューリングされるダウンリンクサブフレームセットは、キャリア１〜７上のダウンリンクサブフレーム４と、キャリア１、キャリア３、およびキャリア５上のダウンリンクサブフレーム５と、キャリア１〜６上のダウンリンクサブフレーム６と、キャリア１〜５上のダウンリンクサブフレーム８とを含むと仮定する。
【００９４】
例えば、番号が４であるダウンリンクサブフレーム（すなわち、ダウンリンクサブフレーム４）について、ダウンリンクサブフレーム４に対応するダウンリンクサブフレームセットは、キャリア１〜７上の７つのダウンリンクサブフレーム４を含み、ダウンリンクサブフレーム４に対応するＤＡＩ合計フィールドは、ダウンリンクサブフレーム４に対応するダウンリンクサブフレームセットにおける、端末のスケジューリングされるダウンリンクサブフレーム４（番号４が最初の番号であるため）の総数を示すのに用いられてよい。例えば、端末は、キャリア１〜３上のダウンリンクサブフレーム４のみをスケジューリングしてよい。番号が５であるダウンリンクサブフレーム（すなわち、ダウンリンクサブフレーム５）について、ダウンリンクサブフレーム５に対応するダウンリンクサブフレームセットは、キャリア１、キャリア３、およびキャリア５上のダウンリンクサブフレームを含む。ダウンリンクサブフレーム５のサブフレーム期間の前の全ダウンリンクサブフレームのサブフレーム番号は４であり、ダウンリンクサブフレーム５のサブフレーム期間の前の全ダウンリンクサブフレームのサブフレーム番号に対応するダウンリンクサブフレームセットは、ダウンリンクサブフレーム４に対応するダウンリンクサブフレームセットである。この場合、ダウンリンクサブフレーム５に対応するＤＡＩ合計フィールドは、ダウンリンクサブフレーム４に対応するダウンリンクサブフレームにおける、端末のスケジューリングされるダウンリンクサブフレームの総数と、ダウンリンクサブフレーム５に対応するダウンリンクサブフレームセットにおける、端末のスケジューリングされるダウンリンクサブフレーム５の総数とを示すのに用いられてよい。
【００９５】
［値設定方式３］
【００９６】
合計フィールドは、即時的にスケジューリングされるダウンリンクサブフレームセットにおける、端末のスケジューリングされるダウンリンクサブフレームの総数を示すのに用いられる。
【００９７】
例えば、１０キャリアが端末に対して構成され、各キャリアのアップリンク−ダウンリンク構成がＴＤＤアップリンク−ダウンリンク構成２であると仮定する。スケジューリングの一シナリオにおいて、基地局によって実際にスケジューリングされる、即時的にスケジューリングされるダウンリンクサブフレームセットは、キャリア１〜７上のダウンリンクサブフレーム４と、キャリア１、キャリア３、およびキャリア５上のダウンリンクサブフレーム５と、キャリア１〜６上のダウンリンクサブフレーム６と、キャリア１〜５上のダウンリンクサブフレーム８とを含むと仮定する。
【００９８】
例えば、端末の実際にスケジューリングされるダウンリンクサブフレームは、キャリア１〜４上のダウンリンクサブフレーム４、キャリア１上のダウンリンクサブフレーム５、キャリア１上のダウンリンクサブフレーム６、およびキャリア１上のダウンリンクサブフレーム８である。この場合、各ダウンリンクサブフレームに対応するＤＡＩ合計フィールドは、端末の実際にスケジューリングされるダウンリンクサブフレームの総数を示すのに用いられる（本例では、端末の実際にスケジューリングされるダウンリンクサブフレームの総数は７である）。しかしながら、第３の値設定方式では、ＤＡＩ合計フィールドのインジケーション方式において時間的な予測スケジューリングが行われる必要がある。すなわち、ダウンリンクサブフレームに関するスケジューリング判断を行うときに、ダウンリンクサブフレームｎ＋１の将来的なスケジューリングステータスも考慮される必要がある。
【００９９】
ＤＡＩ合計フィールドの値設定方式に関わらず、スケジューリングされるダウンリンクサブフレームの数は、これらのスケジューリングされるダウンリンクサブフレームにおけるダウンリンクデータチャネルの数として表されてよく、指定されたダウンリンク制御チャネルの数をさらに含んでよい。ここで言う指定されたダウンリンク制御チャネルは、ダウンリンクデータのスケジューリングに用いられるものではなく、ＳＰＳ（Ｓｅｍｉ−Ｐｅｒｓｉｓｔｅｎｔ  Ｓｃｈｅｄｕｌｉｎｇ、半永久的スケジューリング）の終了を示すのに用いられるものである。加えて、この指定されたダウンリンク制御チャネルにも、対応するＡＣＫ／ＮＡＣＫフィードバックが提供され得るので、この指定されたダウンリンク制御チャネルも、スケジューリングされるダウンリンクサブフレームの総数に含まれる必要がある。
【０１００】
加えて、ここで言うダウンリンクデータチャネルは、動的にスケジューリングされるダウンリンクデータチャネルを含んでよく、またはＳＰＳを用いることで取得されるダウンリンク制御チャネルを含んでもよい。動的にスケジューリングされるダウンリンクデータチャネルに対してはダウンリンク制御チャネルのスケジューリングが行われ、ＳＰＳを用いることで取得されるダウンリンク制御チャネルに対してはダウンリンク制御チャネルのスケジューリングが行われない。
【０１０１】
ダウンリンク制御チャネルの検出漏れが発生した場合であっても、端末は、ＤＡＩインデックスフィールドおよびＤＡＩ合計フィールドを用いて、基地局によって実際にスケジューリングされるダウンリンクサブフレームに対応するＡＣＫ／ＮＡＣＫコードブック（第１コードブック）を正確に復元することができ、このＡＣＫ／ＮＡＣＫコードブックは、コードブックサイズと、コードブック内の各ＡＣＫ／ＮＡＣＫビットに対応するダウンリンクサブフレームとを含む。第１コードブックは、即時的にスケジューリングされるダウンリンクサブフレームセットを用いて決定され、それにより、第１コードブックおよび対応するＰＵＣＣＨフォーマットのフレキシブルな使用、ならびにフレキシブルなダウンリンクデータスケジューリングを実現することができる。加えて、スケジューリングされていないサブフレームのＡＣＫ／ＮＡＣＫに対してはゼロフィリングを行う必要がなく、これにより、ＰＵＣＣＨのリソース利用が改善する。同じフォーマットにおいては、第１コードブックのデータ量を低減することにより、ＰＵＣＣＨの性能向上を生じさせることができる。
【０１０２】
しかしながら、ＤＡＩインデックスフィールドおよびＤＡＩ合計フィールドを用いて、即時的にスケジューリングされるダウンリンクサブフレームセットに基づくＡＣＫ／ＮＡＣＫを決定することにはリスクがある。例えば、何らかのエラー事象が低確率で発生するかもしれない。
【０１０３】
例えば、端末が、基地局によってスケジューリングされる、少なくとも４つの連続するダウンリンク制御チャネルを検出し漏らした場合、基地局によって理解されるものと一致するＡＣＫ／ＮＡＣＫコードブックを、２ビットＤＡＩインデックスフィールドおよび２ビットＤＡＩ合計フィールドを用いて正確に復元することが失敗することがある。連続的に未検出の４つのダウンリンク制御チャネルに含まれるＤＡＩインデックスフィールドの値は、１、２、３、および４、または４、１、２、および３であるので、端末にとって、実際に受信される他のダウンリンク制御チャネルにおけるＤＡＩインデックスフィールドの値はやはり連続し、先頭と末尾とが繋がっている。すなわち、１、２、３、４、１、２、…となり、以下同様に続く。この場合、ＤＡＩ合計フィールドの値も２つのビットを含むので、前述のエラー事象を察知することができない。実際にスケジューリングされるダウンリンクサブフレームの数が１、５、または９であるとき、ＤＡＩ合計フィールドの値は各々、Ｙの値が１であることを示すので、端末は、少なくとも４つのダウンリンク制御チャネルが連続的に未検出であることを察知することができない。
【０１０４】
よって、低確率で発生し得る前述のエラー事象を考慮すると、本発明の別の実施形態において、端末がフィードバック情報を第１フィードバック方式でネットワークデバイスに送信することは、端末が、取得された第１コードブックにＣＲＣ（Ｃｙｃｌｉｃ  Ｒｅｄｕｎｄａｎｃｙ  Ｃｈｅｃｋ、巡回冗長検査）コードを付加することと、端末が、ＣＲＣが付加されたフィードバックコードブックに対してチャネル符号化を行って、フィードバック情報を取得することと、端末が、フィードバック情報をネットワークデバイスに送信することとを含む。
【０１０５】
すなわち、チャネル符号化が行われる前にＣＲＣが第１コードブックに付加されてよく、次いで、ＣＲＣビットが付加された後に取得される動的コードブックに対してチャネル符号化が行われる。具体的には、動的コードブックに対して畳み込み符号化が選好的に行われてよい。現在のところ、ＲＭ（Ｒｅｅｄ  Ｍｕｌｌｅｒ、リード・マラー）符号化のような他の符号化方法を除外するものではない。
【０１０６】
この場合、端末は、第１コードブックのサイズを誤って決定する。ＣＲＣが付加されているとき、例えば、ＣＲＣの長さが８ビットまたは１６ビットであるとき、端末とアクセスネットワークデバイスとが想定する第１コードブックのサイズは一致しないので、アクセスネットワークデバイス（例えば基地局）がフィードバック情報を復号するときにＣＲＣの付加が失敗する。これにより、アクセスネットワークデバイスがフィードバック情報におけるＮＡＣＫがＡＣＫであると誤って決定し得るという深刻なエラーが回避される。しかしながら、即時的にスケジューリングされるダウンリンクサブフレームセットがより小さいとき、決定される第１コードブックのサイズはより小さく、例えば、２０ビットよりも少ない。この場合、ＣＲＣビットが付加される場合には、ＣＲＣオーバーヘッドが比較的大きくなる。
【０１０７】
任意選択的に、本発明の別の実施形態において、端末が、ダウンリンクサブフレームについてのフィードバック情報を第１フィードバック方式でネットワークデバイスに送信することを決定する前に、本方法は、端末が、ネットワークデバイスにより送達される第１インジケーションフィールドを受信する段階をさらに備え、端末が、ダウンリンクサブフレームについてのフィードバック情報を第１フィードバック方式でネットワークデバイスに送信することを決定することは、第１インジケーションフィールドが第１ステータス情報を示す場合に、端末が、フィードバック情報を第１ステータス情報に対応する第１フィードバック方式でネットワークデバイスに送信することを決定することを含む。
【０１０８】
例えば、端末は、基地局により送達されるアップリンクグラントを用いて第１インジケーションフィールドを取得してよい。例えば、第１インジケーションフィールドは２つのビットを含む。例えば、第１インジケーションフィールドは、アップリンクグラントにおける新たに付加されるビットであってよく、または、第１インジケーションフィールドは、アップリンクグラントにおける既存のビットであってもよく、例えば、第１インジケーションフィールドは、ＵＬ＿ＤＡＩ（Ｕｐｌｉｎｋ＿ＤＡＩ、アップリンク−ダウンリンク割り当てインデックス）フィールドである。例えば、第１インジケーションフィールドの値について、値「１０」および「１１」が第１ステータスセットに分類され、値「０１」および「００」が第２ステータスセットに分類される。例えば、第１インジケーションフィールドの値が第１ステータスセットである場合、フィードバックが第１フィードバック方式で行われることが決定されてよく、または、第１インジケーションフィールドの値が第２ステータスセットである場合、フィードバックが第２フィードバック方式で行われることが決定されてよい。
【０１０９】
第１ステータスセットが第１コードブックを示す場合、第１ステータスセットの異なるステータスは、別の制御チャネルを示すのにさらに用いられてよく、例えば、アップリンクデータチャネル上でＡＣＫ／ＮＡＣＫの現在の伝送のために占有されている物理リソースの数に関する情報を示すのに用いられてよい。物理リソースの具体的な数は、ＲＥ（Ｒｅｓｏｕｒｃｅ  Ｅｌｅｍｅｎｔ、リソースエレメント）の具体的な数であってよく、または異なる比率係数であってもよい。比率係数は、アップリンクデータチャネル上で伝送されるアップリンクデータの、ＡＣＫ／ＮＡＣＫ符号化レートまたは用いられる物理リソースの数に対する比率を示す。端末は、比率係数と、アップリンクグラントにおいて示されるアップリンクデータの符号化レートまたは物理リソースの数とを用いて、アップリンクデータチャネル上でＡＣＫ／ＮＡＣＫにより占有される物理リソースの数を算出してよい。
【０１１０】
当然ながら、ここでのステータスセットとフィードバック方式との間の対応関係は単に一例であり、フィードバック方式を決定する別の方法も本発明の実施形態の保護範囲に属する。第２フィードバック方式について下記で説明する。
【０１１１】
上述のように、ＤＡＩインデックスフィールドおよびＤＡＩ合計フィールドが、フィードバックを第１フィードバック方式で行うために用いられてよい。加えて、より良好な実装効果のために、ＣＲＣが第１コードブックにさらに付加されてよい。これらの実施形態において、第１インジケーションフィールドは、具体的なフィードバック方式を示すのに用いられてよい。
【０１１２】
しかしながら、ＣＲＣを付加するには余分なビットを付加する必要があるので、オーバーヘッドがある程度増加する。よって、以下、第１フィードバック方式において第１コードブックを決定する３つの方式を説明する。これらの３つの方式においては、第１コードブックにＣＲＣを付加する必要はない。
【０１１３】
［方式１］
【０１１４】
任意選択的に、本発明の別の実施形態において、本方法は、端末が、ネットワークデバイスにより送達される第１インジケーションフィールドを受信する段階をさらに備える。第１インジケーションフィールドは、インデックスフィールドにより示される周期的な値設定のラウンド数を搬送する。
【０１１５】
すなわち、本実施形態において、端末は、ダウンリンク制御チャネルを検出して、ダウンリンク制御チャネル上で搬送されるＤＡＩインデックスフィールドおよびＤＡＩ合計フィールドを取得することに加え、第１インジケーションフィールドを受信してよい。本実施形態において、ＤＡＩインデックスフィールドの値は、前述の実施形態におけるものと一致し、ＤＡＩ合計フィールドの値も前述の実施形態におけるものと一致する。しかしながら、この場合、第１インジケーションフィールドはフィードバック方式を示すのに用いられない。すなわち、本実施形態で説明される解決手段が用いられるとき、デフォルトのシステム設定に従って第１フィードバック方式が用いられる。
【０１１６】
上述のように、端末が、ＤＡＩインデックスフィールドおよびＤＡＩ合計フィールドのインジケーションに従って第１コードブックを決定する場合、端末が少なくとも４つの連続するダウンリンク制御チャネルを検出し漏らすというエラー事象が低確率で発生し得る。２ビットＤＡＩインデックスフィールドおよび２ビットＤＡＩ合計フィールドを、例として別々に用いる。４つの連続するダウンリンク制御チャネルが検出漏れした場合、前述のエラー事象が発生し得る。
【０１１７】
ＤＡＩインデックスフィールドの値は、上述のようにまずキャリア、次にサブフレームの順に累積的にカウントされ、ＤＡＩ合計フィールドは、即時的にスケジューリングされるダウンリンクサブフレームセットにおける実際にスケジューリングされるダウンリンクサブフレームの総数を示すのに用いられる、すなわち、即時的にスケジューリングされるダウンリンクサブフレームセットにおいて、全てのダウンリンク制御チャネル上で搬送されるＤＡＩ合計フィールドの値は同じであると仮定する。
【０１１８】
即時的にスケジューリングされるダウンリンクサブフレームセットは１９のダウンリンクサブフレームを含み、その１９のダウンリンクサブフレームに対応する１９のＤＡＩインデックスフィールドの値は、｛１、２、３、４、１、２、３、４、１、２、３、４、１、２、３、４、１、２、３｝であり、その１９のダウンリンクサブフレームに対応する１９のＤＡＩ合計フィールドの値は全て、（１９−１）ｍｏｄ４＋１＝３であると仮定する。
【０１１９】
例えば、端末により受信されるＤＡＩインデックスフィールドの値は｛１、２、Ｘ、４、１、Ｘ、Ｘ、Ｘ、Ｘ、２、３、４、１、２、３、Ｘ、Ｘ、Ｘ、Ｘ｝であり、対応するＤＡＩ合計フィールドの値は｛３、３、Ｘ、３、３、Ｘ、Ｘ、Ｘ、Ｘ、３、３、３、３、３、３、Ｘ、Ｘ、Ｘ、Ｘ｝である。Ｘは、端末により未検出であるダウンリンク制御チャネルを表す。
【０１２０】
端末は４つの連続するダウンリンク制御チャネルを検出し漏らしており、この場合、端末は、第１コードブックのコードブックサイズが、アクセスネットワークデバイス（例えば基地局）によって実際にスケジューリングされる１９のダウンリンクサブフレームではなく、１１であると決定する可能性が最も高いことがわかる。
【０１２１】
本実施形態において、前述のエラー事象を察知するべく、アップリンクグラントにおける第１インジケーションフィールドが、インジケーションを容易にするよう用いられてよい。詳細は以下の通りである。
【０１２２】
例えば、端末は、２ビットＵＬ＿ＤＡＩフィールド（第１インジケーションフィールド）を受信し、ＵＬ＿ＤＡＩフィールドは、即時的にスケジューリングされるダウンリンクサブフレームセットにおける各ＤＡＩインデックスフィールドの周期的な値設定のラウンド数を示すのに用いられてよい。例えば、ラウンド数は５であり、２ビットＵＬ＿ＤＡＩフィールドのステータスは「００」であり得る。この場合、端末がＵＬ＿ＤＡＩフィールドを受信した後、端末は、ＤＡＩインデックスフィールドおよびＤＡＩ合計フィールドに基づいて連続的な検出漏れのエラー事象を特定することができ、さらに、実際にスケジューリングされるダウンリンクサブフレームの総数が１９であると決定することができる確率が高い。
【０１２３】
当然ながら、第１インジケーションフィールドはさらに、即時的にスケジューリングされるダウンリンクサブフレームセットにおける、端末のスケジューリングされるダウンリンクサブフレームの総数を示すのに用いられてよい。この場合、端末が４つの連続するダウンリンク制御チャネルを検出し漏らした場合であっても、端末は、受信された第１インジケーションフィールドを用いて、実際にスケジューリングされるダウンリンクサブフレームの総数が１９であると決定してよい。
【０１２４】
［方式２］
【０１２５】
任意選択的に、本発明の別の実施形態において、本方法は、端末が、ダウンリンク制御チャネル上で搬送される合計フィールドを取得し、ネットワークデバイスにより送達される第１インジケーションフィールドを受信する段階をさらに備える。合計フィールドおよび第１インジケーションフィールドは、即時的にスケジューリングされるダウンリンクサブフレームセットにおける、端末のスケジューリングされるダウンリンクサブフレームの総数を共同的に示すのに用いられ、第１インジケーションフィールドにおいて搬送されるビットは、上位ビットである。
【０１２６】
本実施形態において、端末は、前述の方式でダウンリンク制御チャネルを検出して、ダウンリンク制御チャネル上で搬送されるＤＡＩインデックスフィールドおよびＤＡＩ合計フィールドを取得してよく、さらに、第１インジケーションフィールドを取得してよい。例えば、第１インジケーションフィールドは、ＵＬ＿ＤＡＩフィールドであってよい。本実施形態において、ＤＡＩインデックスフィールドの値は、前述の実施形態におけるものと一致するが、ＤＡＩ合計フィールドの値および第１インジケーションフィールドの値は、前述の実施形態におけるものと一致しない。本実施形態において、合計フィールドおよび第１インジケーションフィールドは、即時的にスケジューリングされるダウンリンクサブフレームセットにおける、端末のスケジューリングされるダウンリンクサブフレームの総数を共同的に示すのに用いられる。
【０１２７】
２ビットＵＬ＿ＤＡＩフィールドおよび２ビットＤＡＩ合計フィールドを一例として用いる。ＵＬ＿ＤＡＩフィールドおよびＤＡＩ合計フィールドは、即時的にスケジューリングされるダウンリンクサブフレームセットにおける実際にスケジューリングされるダウンリンクサブフレームの数を共同的に示すのに用いられる。さらに、ＵＬ＿ＤＡＩフィールドおよびＤＡＩ合計フィールドに対して、ジョイント符号化が行われてよい。加えて、端末が第１インジケーションフィールドの受信に失敗し得ることを考慮すると、ジョイント符号化の間、第１インジケーションフィールドが上位ビットに配置され、ＤＡＩ合計フィールドが下位ビットに配置されることが実現されてよい。この場合、端末が第１インジケーションフィールドの受信に失敗した場合であっても、端末は、即時的にスケジューリングされるダウンリンクサブフレームセットにおける実際にスケジューリングされるダウンリンクサブフレームの数を、ＤＡＩ合計フィールドのインジケーションに従ってある程度決定することができる。
【０１２８】
例えば、端末の実際にスケジューリングされるダウンリンクサブフレームの数を１９とする。ＤＡＩ合計フィールドが実際に１９を示すのに用いられ、ジョイント符号化の後に取得される２ビットＵＬ＿ＤＡＩフィールドおよび２ビットＤＡＩ合計フィールドの値が１６を１ラウンドとして周期的に取得され得ることを考慮すると、上位の２ビットＵＬ＿ＤＡＩフィールドの値は「００」であり、下位の２ビットＤＡＩ合計フィールドの値は「０１」であり、具体的な値は実際には３、１９、または３５等であり得る。端末は、受信されたダウンリンク制御チャネルの数に従って、第１コードブックのサイズが実際には１９であると決定してよい。
【０１２９】
任意選択的に、本発明の別の実施形態において、第１インジケーションフィールドおよびＤＡＩ合計フィールドに対してジョイント符号化を行う解決手段は、別のＤＡＩ合計フィールドを示すのに用いられてもよい。例えば、第１インジケーションフィールドおよびＤＡＩ合計フィールドは、即時的にスケジューリングされるダウンリンクサブフレームセットにおける現在のダウンリンクサブフレーム番号に対応するダウンリンクサブフレームセットと、現在のダウンリンクサブフレーム番号のサブフレーム期間の前の全ダウンリンクサブフレームのサブフレーム番号に対応するダウンリンクサブフレームセットとにおける、端末のスケジューリングされるダウンリンクサブフレームの総数を共同的に示すのに用いられる。この場合、第１インジケーションフィールドと、即時的にスケジューリングされるダウンリンクサブフレームセットにおける最後のサブフレームであり、端末により受信されたＤＡＩ合計フィールドとに対して、ジョイント符号化が行われてよい。第１インジケーションフィールドは上位ビットに配置され、ＤＡＩ合計フィールドは下位ビットに配置される。
【０１３０】
［方式３］
【０１３１】
任意選択的に、本発明の別の実施形態において、本方法は、端末が、ネットワークデバイスにより送達される第１インジケーションフィールドを受信する段階をさらに備える。第１インジケーションフィールドは、即時的にスケジューリングされるダウンリンクサブフレームセットにおける、端末のスケジューリングされるダウンリンクサブフレームの総数を示すのに用いられる。
【０１３２】
本実施形態において、端末は、ＤＡＩインデックスフィールド、ＤＡＩ合計フィールド、および第１インジケーションフィールドに従って、即時的にスケジューリングされるダウンリンクサブフレームセットに対応する第１コードブックを決定する必要がある。ＤＡＩインデックスフィールドおよびＤＡＩ合計フィールドの具体的なインジケーション方式については、前述の実施形態の説明を参照のこと。
【０１３３】
図３を説明のための一例として用いる。予め構成されるダウンリンクサブフレームセットは、キャリア１〜４上のダウンリンクサブフレーム４、５、６、および８を含み、各キャリアは、ＴＤＤアップリンク−ダウンリンク構成２に対応すると仮定する。基地局によって実際にスケジューリングされる、即時的にスケジューリングされるダウンリンクサブフレームセットは、キャリア１上のサブフレーム４、５、および６、ならびにキャリア２〜４上のサブフレーム４および５を含むと仮定する。Ｘは、基地局が端末をスケジューリングしていないことを示す。スケジューリングされるダウンリンクサブフレームにおけるＸは、ＵＥがサブフレームのスケジューリング情報、すなわち、ＰＤＣＣＨを検出し漏らしていることを示す。ＤＡＩインデックスフィールドに対しては、まずキャリア、次にサブフレームの順に累積カウントが行われ、ＤＡＩ合計フィールドは、現在のサブフレーム番号に対応するスケジューリングされるダウンリンクサブフレームの数を示す。例えば、サブフレーム番号が４である場合、総計４つのダウンリンクサブフレーム、すなわち、キャリア１〜４上のサブフレーム４がスケジューリングされる。第１インジケーションフィールド、例えば、ＵＬ＿ｇｒａｎｔにおけるＵＬ＿ＤＡＩフィールドは、即時的にスケジューリングされるダウンリンクサブフレームセットにおけるスケジューリングされるダウンリンクサブフレームの総数を示すのに用いられる。総数は、具体的には９であり、モジュロ演算が行われた後は１となる。
【０１３４】
前述の仮定に基づくと、端末は、前述の３つのＤＡＩフィールドに基づいて、基地局によって理解されるものと一致する第１コードブックを正確に復元することができ、第１コードブックは、９つのビットを含む。これに対し、ＤＡＩ合計フィールドが用いられない場合、端末は、ＤＡＩインデックスフィールドおよびＵＬ＿ＤＡＩフィールドのみに従って第１コードブックを復元することができず、この場合、第１コードブックのビット数は、端末には５として理解され得る。端末が４つの連続するＰＤＣＣＨを検出し漏らしているので、ＤＡＩインデックスフィールドの取得値は連続する。この４つの連続するＰＤＣＣＨの検出漏れは、前述の３つのＤＡＩフィールドに基づいて察知され得る。具体的には、端末は、サブフレーム番号４に対応するＤＡＩ合計フィールドとＤＡＩインデックスフィールドとに従って、２つのＰＤＣＣＨがサブフレーム番号４に対応するサブフレームにおいて検出されていないと決定してよい。同様に、端末は、２つのＰＤＣＣＨがサブフレーム５において検出されていないことを察知する。最後に、端末は、ＵＬ＿ＤＡＩフィールドの値に基づいて、１つのＰＤＣＣＨが末尾で検出されていないと決定する。このようにすることで、基地局によって理解されるものと一致する、ビット数が９である第１コードブックが復元される。
【０１３５】
ＵＬ＿ＤＡＩフィールドが配置されるＵＬ＿ｇｒａｎｔは通常、予め構成されるダウンリンクサブフレームセットにおける最も遅いダウンリンクサブフレームよりも早くに送信されるので、基地局がＵＬ＿ＤＡＩフィールドの値を設定するときには、予測スケジューリングが必要でないことにさらに留意されたい。
【０１３６】
任意選択的に、第１インジケーションフィールドは、ＡＣＫ／ＮＡＣＫコードブックのビット数を示すのに用いられ、このビット数をコードブックサイズと称してもよい。コードブックサイズは、予め構成されるダウンリンクサブフレームセットに対応するＡＣＫ／ＮＡＣＫのビット数よりも小さく、即時的にスケジューリングされるダウンリンクサブフレームセットにおけるダウンリンクサブフレームまたはトランスポートブロックの数よりも大きいか、またはこれに等しい。コードブックサイズが、即時的にスケジューリングされるダウンリンクサブフレームセットにおけるダウンリンクサブフレームまたはトランスポートブロックの数よりも大きいとき、ＵＥおよび基地局の両方が、少なくとも１つのＮＡＣＫがコードブックの末尾にフィルインされていると決定し、フィルインされるＮＡＣＫの具体的な数は、コードブックのビット数から、即時的にスケジューリングされるダウンリンクサブフレームセットにおける、ダウンリンクデータが実際にスケジューリングされているダウンリンクサブフレームまたはトランスポートブロックの数を引いたものに等しい。
【０１３７】
任意選択的に、本発明の別の実施形態において、第１インジケーションフィールドは、ＵＬ＿ｇｒａｎｔ（アップリンクスケジューリンググラント）におけるフィールドであってよい。
【０１３８】
前述の実施形態では、フィードバック情報を第１フィードバック方式で基地局に送信することを説明した。以下では、フィードバック情報を第２フィードバック方式で基地局に送信することを説明する。
【０１３９】
任意選択的に、本発明の別の実施形態において、第１インジケーションフィールドが第１フィードバック方式または第２フィードバック方式を示すのに用いられる場合、この場合において、端末が、ネットワークデバイスにより送達される第１インジケーションフィールドを受信した後に、本方法は、第１インジケーションフィールドが第２ステータス情報を示す場合に、端末が、ダウンリンクサブフレームについてのフィードバック情報を第２ステータス情報に対応する第２フィードバック方式でネットワークデバイスに送信することを決定する段階であって、第２フィードバック方式において、フィードバック情報の第２コードブックは、予め構成されるダウンリンクサブフレームサブセットにおけるダウンリンクサブフレームに対応し、予め構成されるダウンリンクサブフレームサブセットは、予め構成されるダウンリンクサブフレームセットのサブセットであり、予め構成されるダウンリンクサブフレームセットは、端末に対して構成され、フィードバック情報を搬送するアップリンクサブフレームに対応する全キャリア上の全ダウンリンクサブフレームを含む、段階と、端末が、フィードバック情報を第２フィードバック方式でネットワークデバイスに送信する段階とをさらに備える。
【０１４０】
本発明の本実施形態においては、第２フィードバック方式でフィードバックされる元のＡＣＫ／ＮＡＣＫビットが特定の順序でソートされたビットストリームを第２コードブックと称し、この第２コードブックを符号化してフィードバック情報を取得する。例えば、第２コードブックを取得するには、元のＡＣＫ／ＮＡＣＫビットが、まずサブフレーム、次にキャリアの順にソートされてよい。
【０１４１】
前述の実施形態において、端末が少なくとも４つの連続するダウンリンク制御チャネルを検出し漏らすというエラーを回避するべく、ＣＲＣが第１コードブックに付加されてよく、次いで、ＣＲＣが付加された第１コードブックに対してチャネル符号化が行われて、フィードバック情報が取得される。しかしながら、ＣＲＣを付加すると、結果としていくらかのオーバーヘッドがもたらされる。第１コードブックのサイズが比較的大きいときは、ＣＲＣビットのオーバーヘッドを無視してよい。しかしながら、第１コードブックのサイズが比較的小さい、例えば、約２０ビットである場合は、長さ８ビットまたはさらに１６ビットのＣＲＣを付加すると、結果として比較的大きいオーバーヘッドがもたらされ得る。このことに鑑みると、ＣＲＣは付加されなくてよい。しかしながら、ＣＲＣが付加されない場合、（基地局のような）アクセスネットワークデバイスは、ＡＣＫ／ＮＡＣＫを復号する間に、第１コードブックの前述のエラー事象を発見するのに失敗して、その結果、復号エラーが生じるかもしれない。よって、フィードバックは第２フィードバック方式で行われてよい。第２フィードバック方式では、予め構成されるダウンリンクサブフレームサブセットが導入されてよい。予め構成されるダウンリンクサブフレームサブセットは、上述の予め構成されるダウンリンクサブフレームセットのサブセットであってよい。例えば、第２フィードバック方式は、フィードバックされるコードブックのサイズが比較的小さいシナリオにおいて用いられてよい。この場合、第２コードブックに対してチャネル符号化が行われるとき、例えば、ＲＭ符号化が用いられてよいが、ＲＭ符号化の復号アルゴリズムはＣＲＣに依存しないものであり得るので、ＣＲＣオーバーヘッドを低減することができる。当然ながら、代替的に、別の符号化方式が用いられてよい。これは、本発明の本実施形態において限定されるものではない。
【０１４２】
任意選択的に、第２コードブックは、予め構成されるダウンリンクサブフレームサブセットを用いて決定されてよい。例えば、１つまたは複数の予め構成されるダウンリンクサブフレームサブセットが、より上位層のシグナリング（例えば、ＲＲＣ（Ｒａｄｉｏ  Ｒｅｓｏｕｒｃｅ  Ｃｏｎｔｒｏｌ、無線リソース制御）シグナリング）を用いて端末に対して予め構成されてよい。これらの予め構成されるダウンリンクサブフレームサブセットは、予め構成されるダウンリンクサブフレームセットのサブセットである。
【０１４３】
例えば、アップリンクサブフレーム２について、予め構成されるダウンリンクサブフレームセットは、キャリア１〜１０上のダウンリンクサブフレーム４、５、６、および８を含む。この場合、例えば、端末に対して構成され得る、可能な予め構成されるダウンリンクサブフレームサブセットは、キャリア１〜５上のダウンリンクサブフレーム４、５、６、および８を含んでよい。例えば、端末に対して構成され得る、別の可能な予め構成されるダウンリンクサブフレームサブセットは、キャリア６〜１０上のダウンリンクサブフレーム４、５、６、および８を含んでよい。あるいは、例えば、端末に対して構成され得る、別の可能な予め構成されるダウンリンクサブフレームサブセットは、キャリア２〜６上のダウンリンクサブフレーム４、５、６、および８を含んでよい。これは単に一例である。予め構成されるダウンリンクサブフレームサブセットを構成する具体的な方式は、予め構成されるダウンリンクサブフレームサブセットが、予め構成されるダウンリンクサブフレームセットのサブセットであれば、本発明の本実施形態において限定されるものではない。
【０１４４】
例えば、アップリンクサブフレーム２について、基地局が端末に対して、予め構成されるダウンリンクサブフレームサブセット、例えば、キャリア１〜５上のダウンリンクサブフレーム４、５、および６を構成する場合、第２コードブックは、キャリア１〜５上のダウンリンクサブフレーム４、５、および６に対応するＡＣＫ／ＮＡＣＫを含んでよい。第２フィードバック方式において、端末は、予め構成されるダウンリンクサブフレームサブセットにおける、基地局によってスケジューリングされていないダウンリンクサブフレームにＮＡＣＫをフィルインしてよい。
【０１４５】
端末は、予め構成されるダウンリンクサブフレームサブセットに従ってフィードバックを行い、予め構成されるダウンリンクサブフレームサブセットに対応するコードブックのデータ量は通常、予め構成されるダウンリンクサブフレームセットに対応するコードブックのデータ量よりも少なく、ＣＲＣが第２コードブックに付加される必要はない。よって、第２フィードバック方式でフィードバックが行われ、これによりシステムオーバーヘッドが低減する。加えて、予め構成されるダウンリンクサブフレームに従ってフィードバックが行われることで、端末が検出漏れに起因して誤ったフィードバックを提供する場合が回避され、これによりシステム信頼性が改善する。
【０１４６】
同一の発明概念および前述の実施形態に基づいて、図２を参照すると、図２は、本発明の一実施形態に係る情報受信方法のフローチャートである。本方法は、図１に示す情報送信方法に対応する、ネットワークデバイスにより実現される方法である。以下の通り、本方法の段階を説明する。
【０１４７】
段階２０１：ネットワークデバイスが、端末のダウンリンクサブフレームをスケジューリングする。端末は、ＣＡをサポートする端末である。
【０１４８】
段階２０２：ネットワークデバイスが、端末により第１フィードバック方式で送信されたフィードバック情報を受信する。第１フィードバック方式において、フィードバック情報の第１コードブックは、即時的にスケジューリングされるダウンリンクサブフレームセットにおけるダウンリンクサブフレームに対応し、即時的にスケジューリングされるダウンリンクサブフレームセットは、ネットワークデバイスによって実際にスケジューリングされる端末のダウンリンクサブフレームを含む。
【０１４９】
任意選択的に、本発明の別の実施形態において、ネットワークデバイスが、端末のダウンリンクサブフレームをスケジューリングすることは、ネットワークデバイスが、ダウンリンクサブフレームにおけるダウンリンク制御チャネルにインデックスフィールドを付加することを含む。インデックスフィールドの値は、即時的にスケジューリングされるダウンリンクサブフレームセットにおいて、まずキャリア、次にサブフレームの順に累積カウントを行うことにより取得されるカウント値である。
【０１５０】
本実施形態において、ネットワークデバイスは、スケジューリングされる各ダウンリンクサブフレームにおけるダウンリンク制御チャネルにインデックスフィールドを付加してよく、インデックスフィールドは、例えば上述のＤＡＩインデックスフィールドであってよい。ネットワークデバイスがＤＡＩインデックスフィールドをダウンリンク制御チャネルに付加するとき、ＤＡＩインデックスフィールドは、新たに付加されるビットであってよく、現在のダウンリンク制御チャネル上の既存のビットであってよく、または暗黙的非ビットインジケータ、例えば、スクランブリングコードまたはいくつかのビットのいくつかのステータスの組合せであってもよい。
【０１５１】
端末は、ダウンリンク制御チャネル上で搬送されるインデックスフィールドを取得した後、インデックスフィールドに従って、ネットワークデバイスにより理解されるものと一致するＡＣＫ／ＮＡＣＫコードブックを特定してよい。ＤＡＩインデックスフィールドの可能なフォーマットおよび端末による特定の方式のような内容については、図１の手順における説明を参照のこと。
【０１５２】
任意選択的に、本発明の別の実施形態において、ネットワークデバイスが、端末のダウンリンクサブフレームをスケジューリングすることは、ネットワークデバイスが、ダウンリンクサブフレームにおけるダウンリンク制御チャネルに合計フィールドを付加することをさらに含む。合計フィールドは、即時的にスケジューリングされるダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットと、現在のダウンリンクサブフレーム番号のサブフレーム期間の前の全ダウンリンクサブフレームのサブフレーム番号に対応するダウンリンクサブフレームセットとにおける、端末のスケジューリングされるダウンリンクサブフレームの総数を示すのに用いられる。
【０１５３】
すなわち、ネットワークデバイスは、インデックスフィールドに加え、合計フィールドをダウンリンク制御チャネルに付加してよい。合計フィールドは、例えばＤＡＩ合計フィールドであってよい。ネットワークデバイスがＤＡＩ合計フィールドをダウンリンク制御チャネルに付加するとき、ＤＡＩ合計フィールドは、現在のダウンリンク制御チャネル上の既存のビットであってよく、または暗黙的非ビットインジケータ、例えば、スクランブリングコードまたはいくつかのビットのいくつかのステータスの組合せであってもよい。
【０１５４】
端末は、インデックスフィールドに従って、またはインデックスフィールドおよび合計フィールドの両方に従って、ネットワークデバイスにより理解されるものと一致するＡＣＫ／ＮＡＣＫコードブックを特定してよい。
【０１５５】
ＤＡＩ合計フィールドの可能なフォーマット、および、端末がインデックスフィールドおよび合計フィールドに従って特定を行う方式のような内容については、図１の手順における説明を参照のこと。
【０１５６】
加えて、合計フィールドは、いくつかの可能な値設定方式に対応する。いくつかの値設定方式については、図１の手順における説明を参照のこと。
【０１５７】
任意選択的に、本発明の別の実施形態において、本方法は、ネットワークデバイスが、第１インジケーションフィールドを端末に送達する段階をさらに備え、ネットワークデバイスが、端末により第１フィードバック方式で送信されたフィードバック情報を受信することは、第１インジケーションフィールドが第１ステータス情報を示す場合に、ネットワークデバイスが、端末により第１フィードバック方式で送信されたフィードバック情報を受信することを含む。
【０１５８】
例えば、ネットワークデバイスは、アップリンクグラントを送達することにより、第１インジケーションフィールドを端末に送達してよい。例えば、第１インジケーションフィールドは、アップリンクグラントにおける新たに付加されるビットであってよく、または、第１インジケーションフィールドは、アップリンクグラントにおける既存のビットであってもよく、例えば、第１インジケーションフィールドは、ＵＬ＿ＤＡＩフィールドである。例えば、ネットワークデバイスは、第１インジケーションフィールドにより示されるステータスセットとフィードバック方式との間の対応関係を予め設定してよく、ネットワークデバイスは、この対応関係を設定した後に、対応関係を端末に送達してよい。よって、端末は、第１インジケーションフィールドを取得した後に、第１インジケーションフィールドの値に対応するステータスセットに従って、対応するフィードバック方式を決定することができる。例えば、第１インジケーションフィールドの値が第１ステータスセットである場合、端末は、第１フィードバック方式でフィードバックを行い、または、第１インジケーションフィールドの値が第２ステータスセットである場合、端末は、第２フィードバック方式でフィードバックを行う。当然ながら、ステータスセットとフィードバック方式との間の対応関係は、これに限定されるものではなく、実際の状況に応じて設定されてよい。
【０１５９】
本実施形態において、端末は、第１コードブックを第１フィードバック方式で取得してよい。端末は、第１コードブックを取得した後に、ＣＲＣを第１コードブックに付加してよく、次いで、ＣＲＣが付加された第１コードブックに対してチャネル符号化を行ってフィードバック情報を取得してよい。
【０１６０】
任意選択的に、本発明の別の実施形態において、第１インジケーションフィールドが第１フィードバック方式または第２フィードバック方式を示すのに用いられる場合、ネットワークデバイスが第１インジケーションフィールドを端末に送達した後に、本方法は、第１インジケーションフィールドが第２ステータス情報を示す場合、ネットワークデバイスが、端末により第２フィードバック方式で送信されたフィードバック情報を受信する段階をさらに備える。第２フィードバック方式において、フィードバック情報の第２コードブックは、予め構成されるダウンリンクサブフレームサブセットにおけるダウンリンクサブフレームに対応し、予め構成されるダウンリンクサブフレームサブセットは、予め構成されるダウンリンクサブフレームセットのサブセットであり、予め構成されるダウンリンクサブフレームセットは、端末に対して構成され、フィードバック情報を搬送するアップリンクサブフレームに対応する全キャリア上の全ダウンリンクサブフレームを含む。
【０１６１】
すなわち、本実施形態において、第１インジケーションフィールドは主に、端末のフィードバック方式を示すのに用いられ、端末は、受信された第１インジケーションフィールドに従って、用いられる具体的なフィードバック方式を決定してよい。
【０１６２】
任意選択的に、本発明の別の実施形態において、ネットワークデバイスが、端末のダウンリンクサブフレームをスケジューリングすることは、ネットワークデバイスが、第１インジケーションフィールドを端末に送達することをさらに含む。第１インジケーションフィールドは、インデックスフィールドにより示される周期的な値設定のラウンド数を搬送する、または、第１インジケーションフィールドは、即時的にスケジューリングされるダウンリンクサブフレームセットにおける、端末のスケジューリングされるダウンリンクサブフレームの総数を示すのに用いられる。
【０１６３】
すなわち、本実施形態において、端末は、ダウンリンク制御チャネルを検出すること、および、ネットワークデバイスによってダウンリンク制御チャネルに付加されるＤＡＩインデックスフィールドおよびＤＡＩ合計フィールドを取得することに加え、ネットワークデバイスにより送達される第１インジケーションフィールドを受信してよい。本実施形態において、ＤＡＩインデックスフィールドの値は、前述の実施形態におけるものと一致し、ＤＡＩ合計フィールドの値も前述の実施形態におけるものと一致する。しかしながら、この場合、第１インジケーションフィールドはフィードバック方式を示すのに用いられない。すなわち、本実施形態で説明される解決手段が用いられるとき、デフォルトのシステム設定に従って第１フィードバック方式が用いられてよい。
【０１６４】
任意選択的に、本発明の別の実施形態において、ネットワークデバイスが、端末のダウンリンクサブフレームをスケジューリングすることは、ネットワークデバイスが、ダウンリンクサブフレームにおけるダウンリンク制御チャネルに合計フィールドを付加し、第１インジケーションフィールドを端末に送達することをさらに含む。合計フィールドおよび第１インジケーションフィールドは、即時的にスケジューリングされるダウンリンクサブフレームセットにおける、端末のスケジューリングされるダウンリンクサブフレームの総数を共同的に示すのに用いられ、第１インジケーションフィールドにおいて搬送されるビットは、上位ビットである。
【０１６５】
本実施形態において、前述の方式によれば、端末は、ダウンリンク制御チャネルを検出して、ダウンリンク制御チャネル上で搬送されるＤＡＩインデックスフィールドおよびＤＡＩ合計フィールドを取得してよく、さらに、第１インジケーションフィールドを取得してよい。本実施形態において、ＤＡＩインデックスフィールドの値は、前述の実施形態におけるものと一致するが、ＤＡＩ合計フィールドの値および第１インジケーションフィールドの値は、前述の実施形態におけるものと一致しない。本実施形態において、合計フィールドおよび第１インジケーションフィールドは、即時的にスケジューリングされるダウンリンクサブフレームセットにおける、端末のスケジューリングされるダウンリンクサブフレームの総数を共同的に示すのに用いられる。
【０１６６】
任意選択的に、本発明の別の実施形態において、第１インジケーションフィールドは、ＵＬ＿ｇｒａｎｔにおけるフィールドである。
【０１６７】
図２の手順において説明される方法は、図１の手順において説明される方法に対応する。関連する内容については、相互に参照されたい。よって、同じまたは対応する内容については繰り返し説明しない。
【０１６８】
以下、添付の図面を参照して、本発明の実施形態において提供されるデバイスを説明する。
【０１６９】
図４を参照すると、同一の発明概念および前述の実施形態に基づいて、本発明の一実施形態は、端末を提供する。端末は、処理モジュール４０１と、送信モジュール４０２とを備えてよい。
【０１７０】
処理モジュール４０１は、ダウンリンクサブフレームについてのフィードバック情報を第１フィードバック方式でネットワークデバイスに送信することを決定するよう構成される。第１フィードバック方式において、フィードバック情報の第１コードブックは、即時的にスケジューリングされるダウンリンクサブフレームセットにおけるダウンリンクサブフレームに対応し、即時的にスケジューリングされるダウンリンクサブフレームセットは、ネットワークデバイスによって実際にスケジューリングされる端末のダウンリンクサブフレームを含み、端末は、ＣＡをサポートする端末である。
【０１７１】
送信モジュール４０２は、フィードバック情報を第１フィードバック方式でネットワークデバイスに送信するよう構成される。
【０１７２】
任意選択的に、本発明の別の実施形態において、処理モジュール４０１は、ダウンリンクサブフレームにおける検出されたダウンリンク制御チャネルに従って、ネットワークデバイスによってスケジューリングされるダウンリンクサブフレームを決定するようさらに構成される。
【０１７３】
任意選択的に、本発明の別の実施形態において、処理モジュール４０１は、ダウンリンク制御チャネル上で搬送されるインデックスフィールドを取得するようさらに構成される。インデックスフィールドの値は、即時的にスケジューリングされるダウンリンクサブフレームセットにおいて、まずキャリア、次にサブフレームの順に累積カウントを行うことにより取得されるカウント値である。
【０１７４】
任意選択的に、本発明の別の実施形態において、処理モジュール４０１は、ダウンリンク制御チャネル上で搬送される合計フィールドを取得するようさらに構成される。合計フィールドは、即時的にスケジューリングされるダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットと、現在のダウンリンクサブフレーム番号のサブフレーム期間の前の全ダウンリンクサブフレームのサブフレーム番号に対応するダウンリンクサブフレームセットとにおける、端末のスケジューリングされるダウンリンクサブフレームの総数を示すのに用いられる。
【０１７５】
任意選択的に、本発明の別の実施形態において、端末は、ネットワークデバイスにより送達される第１インジケーションフィールドを受信するよう構成された受信モジュールをさらに備える。第１インジケーションフィールドは、インデックスフィールドにより示される周期的な値設定のラウンド数を搬送する、または、第１インジケーションフィールドは、即時的にスケジューリングされるダウンリンクサブフレームセットにおける、端末のスケジューリングされるダウンリンクサブフレームの総数を示すのに用いられる。
【０１７６】
任意選択的に、本発明の別の実施形態において、端末は、受信モジュールをさらに備え、処理モジュール４０１は、ダウンリンク制御チャネル上で搬送される合計フィールドを取得するようさらに構成され、受信モジュールは、ネットワークデバイスにより送達される第１インジケーションフィールドを受信するよう構成される。合計フィールドおよび第１インジケーションフィールドは、即時的にスケジューリングされるダウンリンクサブフレームセットにおける、端末のスケジューリングされるダウンリンクサブフレームの総数を共同的に示すのに用いられ、第１インジケーションフィールドにおいて搬送されるビットは、上位ビットである。
【０１７７】
任意選択的に、本発明の別の実施形態において、端末は、受信モジュールをさらに備え、受信モジュールは、処理モジュール４０１が、ダウンリンクサブフレームについてのフィードバック情報を第１フィードバック方式でネットワークデバイスに送信することを決定する前に、ネットワークデバイスにより送達される第１インジケーションフィールドを受信するよう構成され、処理モジュール４０１は、第１インジケーションフィールドが第１ステータス情報を示す場合に、フィードバック情報を第１ステータス情報に対応する第１フィードバック方式でネットワークデバイスに送信することを決定するよう構成される。
【０１７８】
任意選択的に、本発明の別の実施形態において、送信モジュールは、取得された第１コードブックにＣＲＣを付加し、ＣＲＣが付加されたフィードバックコードブックに対してチャネル符号化を行って、フィードバック情報を取得し、フィードバック情報をネットワークデバイスに送信するよう構成される。
【０１７９】
任意選択的に、本発明の別の実施形態において、第１インジケーションフィールドは、ＵＬ＿ｇｒａｎｔにおけるフィールドである。
【０１８０】
任意選択的に、本発明の別の実施形態において、処理モジュール４０１は、受信モジュールが、ネットワークデバイスにより送達される第１インジケーションフィールドを受信した後に、第１インジケーションフィールドが第２ステータス情報を示す場合に、ダウンリンクサブフレームについてのフィードバック情報を第２ステータス情報に対応する第２フィードバック方式でネットワークデバイスに送信することを決定するようさらに構成され、第２フィードバック方式において、フィードバック情報の第２コードブックは、予め構成されるダウンリンクサブフレームサブセットにおけるダウンリンクサブフレームに対応し、予め構成されるダウンリンクサブフレームサブセットは、予め構成されるダウンリンクサブフレームセットのサブセットであり、予め構成されるダウンリンクサブフレームセットは、端末に対して構成され、フィードバック情報を搬送するアップリンクサブフレームに対応する全キャリア上の全ダウンリンクサブフレームを含み、送信モジュール４０２は、フィードバック情報を第２フィードバック方式でネットワークデバイスに送信するようさらに構成される。
【０１８１】
図５を参照すると、同一の発明概念および前述の実施形態に基づいて、本発明の一実施形態は、ネットワークデバイスを提供する。ネットワークデバイスは、処理モジュール５０１と、受信モジュール５０２とを備えてよい。
【０１８２】
処理モジュール５０１は、端末のダウンリンクサブフレームをスケジューリングするよう構成される。端末は、ＣＡをサポートする端末である。
【０１８３】
受信モジュール５０２は、端末により第１フィードバック方式で送信されたフィードバック情報を受信するよう構成される。第１フィードバック方式において、フィードバック情報の第１コードブックは、即時的にスケジューリングされるダウンリンクサブフレームセットにおけるダウンリンクサブフレームに対応し、即時的にスケジューリングされるダウンリンクサブフレームセットは、ネットワークデバイスによって実際にスケジューリングされる端末のダウンリンクサブフレームを含む。
【０１８４】
任意選択的に、本発明の別の実施形態において、処理モジュール５０１は、ダウンリンクサブフレームにおけるダウンリンク制御チャネルにインデックスフィールドを付加するよう構成される。インデックスフィールドの値は、即時的にスケジューリングされるダウンリンクサブフレームセットにおいて、まずキャリア、次にサブフレームの順に累積カウントを行うことにより取得されるカウント値である。
【０１８５】
任意選択的に、本発明の別の実施形態において、処理モジュール５０１は、ダウンリンクサブフレームにおけるダウンリンク制御チャネルに合計フィールドを付加するよう構成される。合計フィールドは、即時的にスケジューリングされるダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットにおける、端末のスケジューリングされるダウンリンクサブフレームの総数を示すのに用いられる、または、合計フィールドは、即時的にスケジューリングされるダウンリンクサブフレームセットにおける現在のダウンリンクサブフレーム番号に対応するダウンリンクサブフレームセットと、現在のダウンリンクサブフレーム番号のサブフレーム期間の前の全ダウンリンクサブフレームのサブフレーム番号に対応するダウンリンクサブフレームセットとにおける、端末のスケジューリングされるダウンリンクサブフレームの総数を示すのに用いられる。
【０１８６】
任意選択的に、本発明の別の実施形態において、処理モジュール５０１は、第１インジケーションフィールドを端末に送達するよう構成される。第１インジケーションフィールドは、インデックスフィールドにより示される周期的な値設定のラウンド数を搬送する、または、第１インジケーションフィールドは、即時的にスケジューリングされるダウンリンクサブフレームセットにおける、端末のスケジューリングされるダウンリンクサブフレームの総数を示すのに用いられる。
【０１８７】
任意選択的に、本発明の別の実施形態において、処理モジュール５０１は、ダウンリンクサブフレームにおけるダウンリンク制御チャネルに合計フィールドを付加し、第１インジケーションフィールドを端末に送達するよう構成される。合計フィールドおよび第１インジケーションフィールドは、即時的にスケジューリングされるダウンリンクサブフレームセットにおける、端末のスケジューリングされるダウンリンクサブフレームの総数を共同的に示すのに用いられ、第１インジケーションフィールドにおいて搬送されるビットは、上位ビットである。
【０１８８】
任意選択的に、本発明の別の実施形態において、ネットワークデバイスは、送信モジュールをさらに備え、送信モジュールは、第１インジケーションフィールドを端末に送達するよう構成され、受信モジュール５０２は、第１インジケーションフィールドが第１ステータス情報を示す場合に、端末により第１フィードバック方式で送信されたフィードバック情報を受信するよう構成される。
【０１８９】
任意選択的に、本発明の別の実施形態において、受信モジュール５０２は、送信モジュールが、第１インジケーションフィールドを端末に送達した後に、第１インジケーションフィールドが第２ステータス情報を示す場合に、端末により第２フィードバック方式で送信されたフィードバック情報を受信するようさらに構成される。第２フィードバック方式において、フィードバック情報の第２コードブックは、予め構成されるダウンリンクサブフレームサブセットにおけるダウンリンクサブフレームに対応し、予め構成されるダウンリンクサブフレームサブセットは、予め構成されるダウンリンクサブフレームセットのサブセットであり、予め構成されるダウンリンクサブフレームセットは、端末に対して構成され、フィードバック情報を搬送するアップリンクサブフレームに対応する全キャリア上の全ダウンリンクサブフレームを含む。
【０１９０】
任意選択的に、本発明の別の実施形態において、第１インジケーションフィールドは、ＵＬ＿ｇｒａｎｔにおけるフィールドである。
【０１９１】
図６を参照すると、同一の発明概念および前述の実施形態に基づいて、本発明の一実施形態は、端末を提供する。端末は、メモリ６０１と、プロセッサ６０２と、送信機６０３とを備えてよい。
【０１９２】
プロセッサ６０２は、中央処理装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ、特定用途向け集積回路）、プログラムの実行を制御するよう構成された１つまたは複数の集積回路、ＦＰＧＡ（Ｆｉｅｌｄ  Ｐｒｏｇｒａｍｍａｂｌｅ  Ｇａｔｅ  Ａｒｒａｙ、フィールドプログラマブルゲートアレイ）を用いて開発されるハードウェア回路、またはベースバンドチップであってよい。１つまたは複数のメモリ６０１が存在してよい。メモリ６０１は、ＲＯＭ（Ｒｅａｄ  Ｏｎｌｙ  Ｍｅｍｏｒｙ、リードオンリメモリ）、ＲＡＭ（Ｒａｎｄｏｍ  Ａｃｃｅｓｓ  Ｍｅｍｏｒｙ、ランダムアクセスメモリ）、および磁気ディスクストレージを含んでよい。送信機６０３は、無線周波システムに属するものであってよく、外部デバイスとネットワーク通信を行うよう構成される。具体的には、送信機６０３は、イーサネット（登録商標）、無線アクセスネットワーク、または無線ローカルエリアネットワークのようなネットワークを用いて、外部デバイスと通信してよい。
【０１９３】
これらのメモリ６０１および送信機６０３は、バスを用いてプロセッサ６０２に接続されてよく、または専用の接続ケーブルを用いてプロセッサ６０２に別々に接続されてもよい。
【０１９４】
上述の方法に対応するコードが、プロセッサ６０２に対するプログラミングを設計することによってチップに恒久的に書き込まれる。これにより、チップは動作中に前述の実施形態における方法を行うことができる。プロセッサ６０２をどのように設計およびプログラミングするかは、当業者にとっては周知の技術であり、ここでは詳細を説明しない。
【０１９５】
本実施形態における端末と、前述の実施形態における端末とは、同一の端末であってよい。例えば、本実施形態におけるプロセッサ６０２は、図４の処理モジュール４０１を実装するよう用いられてよく、本実施形態における送信機６０３は、図４の送信モジュール４０２を実装するよう用いられてよい。
【０１９６】
任意選択的に、本発明の別の実施形態において、図６の端末は、受信機をさらに備えてよく、受信機および送信機６０３は、無線周波システムに属するものであってよい。受信機および送信機６０３は、外部デバイスとネットワーク通信を行うよう構成される。具体的には、受信機および送信機６０３は、イーサネット（登録商標）、無線アクセスネットワーク、または無線ローカルエリアネットワークのようなネットワークを用いて、外部デバイスと通信してよい。受信機および送信機６０３は、互いに独立した２つの物理コンポーネントであってよく、または同一の物理コンポーネントであってもよい。受信機は、図４の実施形態における受信モジュールを実装するよう用いられてよい。
【０１９７】
図７を参照すると、同一の発明概念および前述の実施形態に基づいて、本発明の一実施形態は、ネットワークデバイスを提供する。ネットワークデバイスは、メモリ７０１と、プロセッサ７０２と、受信機７０３とを備えてよい。
【０１９８】
プロセッサ７０２は、具体的には、中央処理装置、ＡＳＩＣ、プログラムの実行を制御するよう構成された１つまたは複数の集積回路、ＦＰＧＡを用いて開発されるハードウェア回路、またはベースバンドチップであってよい。１つまたは複数のメモリ７０１が存在してよい。メモリ７０１は、ＲＯＭ、ＲＡＭ、および磁気ディスクメモリを含んでよい。受信機７０３は、無線周波システムに属するものであってよく、外部デバイスとネットワーク通信を行うよう構成される。具体的には、受信機７０３は、イーサネット（登録商標）、無線アクセスネットワーク、または無線ローカルエリアネットワークのようなネットワークを用いて、外部デバイスと通信してよい。
【０１９９】
これらのメモリ７０１および受信機７０３は、バスを用いてプロセッサ７０２に接続されてよく、または専用の接続ケーブルを用いてプロセッサ７０２に別々に接続されてもよい。
【０２００】
上述の方法に対応するコードが、プロセッサ７０２に対するプログラミングを設計することによってチップに恒久的に書き込まれる。これにより、チップは動作中に前述の実施形態における方法を行うことができる。プロセッサ７０２をどのように設計およびプログラミングするかは、当業者にとっては周知の技術であり、ここでは詳細を説明しない。
【０２０１】
本実施形態におけるネットワークデバイスと、前述の実施形態におけるネットワークデバイスとは、同一のネットワークデバイスであってよい。例えば、本実施形態におけるプロセッサ７０２は、図５の処理モジュール５０１を実装するよう用いられてよく、本実施形態における受信機７０３は、図５の受信モジュール５０２を実装するよう用いられてよい。
【０２０２】
任意選択的に、本発明の別の実施形態において、図７の端末は、送信機をさらに備えてよく、受信機７０３および送信機は、無線周波システムに属するものであってよい。受信機７０３および送信機は、外部デバイスとネットワーク通信を行うよう構成される。具体的には、受信機７０３および送信機は、イーサネット（登録商標）、無線アクセスネットワーク、または無線ローカルエリアネットワークのようなネットワークを用いて、外部デバイスと通信してよい。受信機７０３および送信機は、互いに独立した２つの物理コンポーネントであってよく、または同一の物理コンポーネントであってもよい。送信機は、図５の実施形態における端末の送信モジュールを実装するよう用いられてよい。本発明の実施形態における全てのデバイスが、方法に対応するデバイスであることに留意されたい。デバイス内の各モジュールの機能および実装の詳細についての説明に関しては、対応する方法の関連する部分を参照のこと。
【０２０３】
本発明の実施形態において、端末は、ダウンリンクサブフレームについてのフィードバック情報を第１フィードバック方式でネットワークデバイスに送信してよい。すなわち、フィードバック情報の第１コードブックが、即時的にスケジューリングされるダウンリンクサブフレームセットに従って決定される。これは、端末が、ネットワークデバイスによって実際にスケジューリングされるダウンリンクサブフレームについてフィードバックを行うことに相当する。このようにすることで、ネットワークデバイスによって実際にスケジューリングされていないダウンリンクサブフレームに関する情報がフィードバックされる必要がなく、第１コードブックに含まれるビット数は、従来技術では端末によりフィードバックされる必要があったビット数よりも少なくなる。これにより、従来技術と比較してシステムオーバーヘッドが大幅に低減する。代替的に、端末は、ダウンリンクサブフレームについてのフィードバック情報を第２フィードバック方式でネットワークデバイスに送信してよい。すなわち、端末は、予め構成されるダウンリンクサブフレームサブセットに従ってフィードバックを行う。予め構成されるダウンリンクサブフレームサブセットに対応するコードブックのデータ量は、通常、予め構成されるダウンリンクサブフレームセットに対応するコードブックのデータ量よりも少なく、ＣＲＣが第２コードブックに付加される必要はない。よって、第２フィードバック方式でフィードバックが行われ、これによりシステムオーバーヘッドが低減する。加えて、予め構成されるダウンリンクサブフレームに従ってフィードバックが行われることで、端末が検出漏れに起因して誤ったフィードバックを提供する場合が回避され、これによりシステム信頼性が改善する。
【０２０４】
説明を簡便かつ簡単にする目的で、前述の機能ユニットの分割が例示のための一例としてなされていることが、当業者には明確に理解されよう。実際の適用においては、前述の機能は、異なる複数の機能ユニットに割り振ることができ、要件に応じて実装することができる。すなわち、上述の機能の全てまたは一部を実装するべく、装置の内部構造が異なる複数の機能ユニットに分割される。前述のシステム、装置、およびユニットの詳細な動作プロセスについては、前述の方法の実施形態における対応するプロセスを参照されたく、ここでは詳細を改めて説明しない。
【０２０５】
本願において提供されるいくつかの実施形態において、開示されているシステム、装置、および方法は、他の方式で実装されてよいことを理解されたい。例えば、説明されている装置の実施形態は、単に一例である。例えば、ユニットへの分割は、単に論理的機能による分割であり、実際の実装においては他の分割であってよい。例えば、複数のユニットまたはコンポーネントを組み合わせてまたは統合して、別のシステムとしてもよい。あるいは、一部の特徴が無視されてよく、または行われなくてもよい。加えて、表示または議論されている相互結合もしくは直接結合または通信接続は、いくつかのインタフェースを用いて実装されてよい。装置間またはユニット間の間接的な結合または通信接続は、電子的、機械的、または他の形態で実装されてよい。
【０２０６】
別個の部分として説明されているユニットは、物理的に別個であってもなくてもよく、ユニットとして表示される部分は、物理的ユニットであってもなくてもよく、１つの位置に配置されてもよく、または複数のネットワークユニットにおいて分散されてもよい。これらのユニットの一部または全てが、実施形態の解決手段の目的を実現するよう、実際の要件に応じて選択されてよい。
【０２０７】
加えて、本願の実施形態における機能ユニットが１つの処理ユニットに統合されてよく、またはユニットの各々が物理的に単独で存在してよく、または２つ以上のユニットが１つのユニットに統合される。統合されたユニットは、ハードウェアの形態で実装されてよく、または、ソフトウェア機能ユニットの形態で実装されてもよい。
【０２０８】
統合されたユニットがソフトウェア機能ユニットの形態で実装され、独立製品として販売または使用されるとき、統合されたユニットは、コンピュータ可読記憶媒体に記憶されてよい。このような理解に基づいて、本質的に本願の技術的解決手段、または従来技術に寄与する部分、または技術的解決手段の全てもしくは一部が、ソフトウェア製品の形態で実装されてよい。ソフトウェア製品は、記憶媒体に記憶され、本願の実施形態で説明されている方法の段階の全てまたは一部を行うよう、コンピュータデバイス（これはパーソナルコンピュータ、サーバ、もしくはネットワークデバイスであってよい）またはプロセッサに命令するためのいくつかの命令を含む。前述の記憶媒体は、ＵＳＢフラッシュドライブ、リムーバブルハードディスク、ＲＯＭ、ＲＡＭ、磁気ディスク、または光ディスクのような、プログラムコードを記憶できる任意の媒体を含む。
【０２０９】
前述の実施形態は、単に本願の技術的解決手段を説明するために用いられている。前述の実施形態は、単に本発明の方法および中心的概念の理解を助けることを意図したものであり、本発明に対する限定と解されてはならない。本発明において開示される技術的範囲内において当業者により容易に想到されるあらゆる変形または置き換えが、本発明の保護範囲に属するものとする。
【図１】
2019216460.tif 000005
【図２】
2019216460.tif 000006
【図３】
2019216460.tif 000007
【図４】
2019216460.tif 000008
【図５】
2019216460.tif 000009
【図６】
2019216460.tif 000010
【図７】
2019216460.tif 000011
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
情報送信方法であって、
端末が、合計フィールドおよび第１インジケーションフィールドをネットワークデバイスから取得する段階と、
前記端末が、ダウンリンクサブフレームセットにおける第１ダウンリンクサブフレームについての第１フィードバック情報を決定する段階と、
前記端末が、アップリンクサブフレームにおける前記第１フィードバック情報を前記ネットワークデバイスに送信する段階と
を備え、
前記ダウンリンクサブフレームセットにおける各ダウンリンクサブフレームについてのフィードバック情報は、前記アップリンクサブフレームにおいてフィードバックされることになり、
前記第１インジケーションフィールドは、前記ダウンリンクサブフレームセットにおけるダウンリンクサブフレームの総数を示し、
前記合計フィールドは、前記第１ダウンリンクサブフレームのサブフレーム番号と同じ番号であり、前記ダウンリンクサブフレームセットにおけるダウンリンクサブフレームと、前記第１ダウンリンクサブフレームの前にあり、前記ダウンリンクサブフレームセットにおけるダウンリンクサブフレームとの総数を示す、
方法。
【請求項２】
前記方法は、
前記端末が、ダウンリンク制御チャネル上で搬送されるインデックスフィールドを取得する段階
をさらに備え、
前記インデックスフィールドの値は、前記ダウンリンクサブフレームセットにおいて、まずキャリア、次にサブフレームの順に累積カウントを行うことにより取得されるカウント値である、
請求項１に記載の方法。
【請求項３】
前記端末は、ダウンリンク制御チャネル上で搬送されるインデックスフィールドを取得する段階をさらに備え、
前記インデックスフィールドの値は、前記ダウンリンクサブフレームセットにおいて、前記第１ダウンリンクサブフレームおよび前記第１ダウンリンクサブフレームが位置する第１キャリアまで、まずキャリア番号が増加する順に、次にサブフレーム番号が増加する順に、ダウンリンクサブフレームの累積カウント値を表す、
請求項１に記載の方法。
【請求項４】
前記合計フィールドは、前記ダウンリンク制御チャネル上で搬送される、
請求項２または３に記載の方法。
【請求項５】
前記第１インジケーションフィールドは、アップリンクスケジューリンググラント（ＵＬ＿ｇｒａｎｔ）におけるフィールドである、
請求項２から４のいずれか一項に記載の方法。
【請求項６】
前記ダウンリンク制御チャネルは、前記ダウンリンクサブフレームにおけるものである、
請求項２から５のいずれか一項に記載の方法。
【請求項７】
情報受信方法であって、
ネットワークデバイスが、合計フィールドおよび第１インジケーションフィールドを端末に送信する段階と、
前記ネットワークデバイスが、前記端末から、アップリンクサブフレームにおける第１ダウンリンクサブフレームに関する第１フィードバック情報を受信する段階であって、前記第１ダウンリンクサブフレームはダウンリンクサブフレームセットにおけるものである、段階と
を備え、
前記ダウンリンクサブフレームセットにおける各ダウンリンクサブフレームについてのフィードバック情報は、前記アップリンクサブフレームにおいて受信されることになり、
前記第１インジケーションフィールドは、前記ダウンリンクサブフレームセットにおけるダウンリンクサブフレームの総数を示し、
前記合計フィールドは、前記第１ダウンリンクサブフレームのサブフレーム番号と同じ番号であり、前記ダウンリンクサブフレームセットにおけるダウンリンクサブフレームと、前記第１ダウンリンクサブフレームの前にあり、前記ダウンリンクサブフレームセットにおけるダウンリンクサブフレームとの総数を示す、
方法。
【請求項８】
前記方法はさらに、
前記ネットワークデバイスが、ダウンリンク制御チャネル上でインデックスフィールドを送信する段階
を含み、
前記インデックスフィールドの値は、前記ダウンリンクサブフレームセットにおいて、まずキャリア、次にサブフレームの順に累積カウントを行うことにより取得されるカウント値である、
請求項７に記載の方法。
【請求項９】
前記方法はさらに、
前記ネットワークデバイスが、ダウンリンク制御チャネル上でインデックスフィールドを送信する段階をさらに備え、
前記インデックスフィールドの値は、前記ダウンリンクサブフレームセットにおいて、前記第１ダウンリンクサブフレームおよび前記第１ダウンリンクサブフレームが位置する第１キャリアまで、まずキャリア番号が増加する順に、次にサブフレーム番号が増加する順に、ダウンリンクサブフレームの累積カウント値を表す、
請求項７に記載の方法。
【請求項１０】
前記合計フィールドは、前記ダウンリンク制御チャネル上で搬送される、
請求項８または９に記載の方法。
【請求項１１】
前記第１インジケーションフィールドは、アップリンクスケジューリンググラント（ＵＬ＿ｇｒａｎｔ）におけるフィールドである、
請求項８から１０のいずれか一項に記載の方法。
【請求項１２】
前記ダウンリンク制御チャネルは、前記ダウンリンクサブフレームにおけるものである、
請求項８から１１のいずれか一項に記載の方法。
【請求項１３】
装置であって、
合計フィールドおよび第１インジケーションフィールドをネットワークデバイスから取得する、受信モジュールと、
ダウンリンクサブフレームセットにおける第１ダウンリンクサブフレームについての第１フィードバック情報を決定する、処理モジュールと、
アップリンクサブフレームにおける前記第１フィードバック情報を前記ネットワークデバイスに送信する、送信モジュールと
を備え、
前記ダウンリンクサブフレームセットにおける各ダウンリンクサブフレームについてのフィードバック情報は、前記アップリンクサブフレームにおいてフィードバックされることになり、
前記第１インジケーションフィールドは、前記ダウンリンクサブフレームセットにおけるダウンリンクサブフレームの総数を示し、
前記合計フィールドは、前記第１ダウンリンクサブフレームのサブフレーム番号と同じ番号であり、前記ダウンリンクサブフレームセットにおけるダウンリンクサブフレームと、前記第１ダウンリンクサブフレームの前にあり、前記ダウンリンクサブフレームセットにおけるダウンリンクサブフレームとの総数を示す、
装置。
【請求項１４】
前記受信モジュールはさらに、
ダウンリンク制御チャネル上で搬送されるインデックスフィールドを取得し、
前記インデックスフィールドの値は、前記ダウンリンクサブフレームセットにおいて、まずキャリア、次にサブフレームの順に累積カウントを行うことにより取得されるカウント値である、
請求項１３に記載の装置。
【請求項１５】
前記受信モジュールはさらに、ダウンリンク制御チャネル上で搬送されるインデックスフィールドを取得し、
前記インデックスフィールドの値は、前記ダウンリンクサブフレームセットにおいて、前記第１ダウンリンクサブフレームおよび前記第１ダウンリンクサブフレームが位置する第１キャリアまで、まずキャリア番号が増加する順に、次にサブフレーム番号が増加する順に、ダウンリンクサブフレームの累積カウント値を表す、
請求項１３に記載の装置。
【請求項１６】
前記合計フィールドは、前記ダウンリンク制御チャネル上で搬送される、
請求項１４または１５に記載の装置。
【請求項１７】
前記第１インジケーションフィールドは、アップリンクスケジューリンググラント（ＵＬ＿ｇｒａｎｔ）におけるフィールドである、
請求項１４から１６のいずれか一項に記載の装置。
【請求項１８】
前記ダウンリンク制御チャネルは、前記ダウンリンクサブフレームにおけるものである、
請求項１４から１７のいずれか一項に記載の装置。
【請求項１９】
装置であって、
合計フィールドおよび第１インジケーションフィールドを端末に送信する、送信モジュールと、
前記端末から、アップリンクサブフレームにおける第１ダウンリンクサブフレームに関する第１フィードバック情報を受信する受信モジュールであって、前記第１ダウンリンクサブフレームはダウンリンクサブフレームセットにおけるものである、受信モジュールと
を備え、
前記ダウンリンクサブフレームセットにおける各ダウンリンクサブフレームについてのフィードバック情報は、前記アップリンクサブフレームにおいて受信されることになり、
前記第１インジケーションフィールドは、前記ダウンリンクサブフレームセットにおけるダウンリンクサブフレームの総数を示し、
前記合計フィールドは、前記第１ダウンリンクサブフレームのサブフレーム番号と同じ番号であり、前記ダウンリンクサブフレームセットにおけるダウンリンクサブフレームと、前記第１ダウンリンクサブフレームの前にあり、前記ダウンリンクサブフレームセットにおけるダウンリンクサブフレームとの総数を示す、
装置。
【請求項２０】
前記送信モジュールはさらに、
ダウンリンク制御チャネル上でインデックスフィールドを送信し、
前記インデックスフィールドの値は、前記ダウンリンクサブフレームセットにおいて、まずキャリア、次にサブフレームの順に累積カウントを行うことにより取得されるカウント値である、
請求項１９に記載の装置。
【請求項２１】
前記送信モジュールはさらに、
ダウンリンク制御チャネル上でインデックスフィールドを送信し、
前記インデックスフィールドの値は、前記ダウンリンクサブフレームセットにおいて、前記第１ダウンリンクサブフレームおよび前記第１ダウンリンクサブフレームが位置する第１キャリアまで、まずキャリア番号が増加する順に、次にサブフレーム番号が増加する順に、ダウンリンクサブフレームの累積カウント値を表す、
請求項１９に記載の装置。
【請求項２２】
前記合計フィールドは、前記ダウンリンク制御チャネル上で搬送される、
請求項２０または２１に記載の装置。
【請求項２３】
前記第１インジケーションフィールドは、アップリンクスケジューリンググラント（ＵＬ＿ｇｒａｎｔ）におけるフィールドである、
請求項２０から２２のいずれか一項に記載の装置。
【請求項２４】
前記ダウンリンク制御チャネルは、前記ダウンリンクサブフレームにおけるものである、
請求項２０から２３のいずれか一項に記載の装置。
【請求項２５】
装置であって、
合計フィールドおよび第１インジケーションフィールドをネットワークデバイスから取得する、受信機と、
ダウンリンクサブフレームセットにおける第１ダウンリンクサブフレームについての第１フィードバック情報を決定する、処理機と、
アップリンクサブフレームにおける前記第１フィードバック情報を前記ネットワークデバイスに送信する、送信機と
を備え、
前記ダウンリンクサブフレームセットにおける各ダウンリンクサブフレームについてのフィードバック情報は、前記アップリンクサブフレームにおいてフィードバックされることになり、
前記第１インジケーションフィールドは、前記ダウンリンクサブフレームセットにおけるダウンリンクサブフレームの総数を示し、
前記合計フィールドは、前記第１ダウンリンクサブフレームのサブフレーム番号と同じ番号であり、前記ダウンリンクサブフレームセットにおけるダウンリンクサブフレームと、前記第１ダウンリンクサブフレームの前にあり、前記ダウンリンクサブフレームセットにおけるダウンリンクサブフレームとの総数を示す、
装置。
【請求項２６】
装置であって、
合計フィールドおよび第１インジケーションフィールドを端末に送信する、送信機と、
前記端末から、アップリンクサブフレームにおける第１ダウンリンクサブフレームに関する第１フィードバック情報を受信する受信機であって、前記第１ダウンリンクサブフレームはダウンリンクサブフレームセットにおけるものである、受信機と
を備え、
前記ダウンリンクサブフレームセットにおける各ダウンリンクサブフレームについてのフィードバック情報は、前記アップリンクサブフレームにおいて受信されることになり、
前記第１インジケーションフィールドは、前記ダウンリンクサブフレームセットにおけるダウンリンクサブフレームの総数を示し、
前記合計フィールドは、前記第１ダウンリンクサブフレームのサブフレーム番号と同じ番号であり、前記ダウンリンクサブフレームセットにおけるダウンリンクサブフレームと、前記第１ダウンリンクサブフレームの前にあり、前記ダウンリンクサブフレームセットにおけるダウンリンクサブフレームとの総数を示す、
装置。
【請求項２７】
命令が記録されたコンピュータ読み取り可能格納媒体であって、前記命令は請求項１から６のいずれか一項に記載の方法をコンピュータに実装させる、コンピュータ読み取り可能格納媒体。
【請求項２８】
命令が記録されたコンピュータ読み取り可能格納媒体であって、前記命令は請求項７から１２のいずれか一項に記載の方法をコンピュータに実装させる、コンピュータ読み取り可能格納媒体。
【請求項２９】
請求項１から６のいずれか一項に記載の方法をコンピュータに実行させる、プログラム。
【請求項３０】
請求項７から１２のいずれか一項に記載の方法をコンピュータに実行させる、プログラム。
【手続補正２】
【補正対象書類名】明細書
【補正対象項目名】０２０９
【補正方法】変更
【補正の内容】
【０２０９】
前述の実施形態は、単に本願の技術的解決手段を説明するために用いられている。前述の実施形態は、単に本発明の方法および中心的概念の理解を助けることを意図したものであり、本発明に対する限定と解されてはならない。本発明において開示される技術的範囲内において当業者により容易に想到されるあらゆる変形または置き換えが、本発明の保護範囲に属するものとする。
［項目１］
情報送信方法であって、
端末が、ダウンリンクサブフレームについてのフィードバック情報を第１フィードバック方式でネットワークデバイスに送信することを決定する段階であって、上記第１フィードバック方式において、上記フィードバック情報の第１コードブックは、即時的にスケジューリングされるダウンリンクサブフレームセットにおけるダウンリンクサブフレームに対応し、上記即時的にスケジューリングされるダウンリンクサブフレームセットは、上記ネットワークデバイスによって実際にスケジューリングされる上記端末の上記ダウンリンクサブフレームを含み、上記端末は、キャリアアグリゲーションＣＡをサポートする端末である、段階と、
上記端末が、上記フィードバック情報を上記第１フィードバック方式で上記ネットワークデバイスに送信する段階と
を備える、方法。
［項目２］
上記方法は、
上記端末が、上記ダウンリンクサブフレームにおける検出されたダウンリンク制御チャネルに従って、上記ネットワークデバイスによってスケジューリングされる上記ダウンリンクサブフレームを決定する段階
をさらに備える、
項目１に記載の方法。
［項目３］
上記方法は、
上記端末が、上記ダウンリンク制御チャネル上で搬送されるインデックスフィールドを取得する段階
をさらに備え、
上記インデックスフィールドの値は、上記即時的にスケジューリングされるダウンリンクサブフレームセットにおいて、まずキャリア、次にサブフレームの順に累積カウントを行うことにより取得されるカウント値である、
項目２に記載の方法。
［項目４］
上記方法は、
上記端末が、上記ダウンリンク制御チャネル上で搬送される合計フィールドを取得する段階
をさらに備え、
上記合計フィールドは、上記即時的にスケジューリングされるダウンリンクサブフレームセットにおける、上記端末のスケジューリングされるダウンリンクサブフレームの総数を示すのに用いられる、または、
上記合計フィールドは、上記即時的にスケジューリングされるダウンリンクサブフレームセットにおける現在のダウンリンクサブフレーム番号に対応するダウンリンクサブフレームセットにおける、上記端末のスケジューリングされるダウンリンクサブフレームの総数を示すのに用いられる、または、
上記合計フィールドは、上記即時的にスケジューリングされるダウンリンクサブフレームセットにおける現在のダウンリンクサブフレーム番号に対応するダウンリンクサブフレームセットと、上記現在のダウンリンクサブフレーム番号のサブフレーム期間の前の全ダウンリンクサブフレームのサブフレーム番号に対応するダウンリンクサブフレームセットとにおける、上記端末のスケジューリングされるダウンリンクサブフレームの総数を示すのに用いられる、
項目３に記載の方法。
［項目５］
上記方法は、
上記端末が、上記ネットワークデバイスにより送達される第１インジケーションフィールドを受信する段階
をさらに備え、
上記第１インジケーションフィールドは、上記インデックスフィールドにより示される周期的な値設定のラウンド数を搬送する、または、上記第１インジケーションフィールドは、上記即時的にスケジューリングされるダウンリンクサブフレームセットにおける、上記端末の上記スケジューリングされるダウンリンクサブフレームの上記総数を示すのに用いられる、
項目４に記載の方法。
［項目６］
上記方法は、
上記端末が、上記ダウンリンク制御チャネル上で搬送される合計フィールドを取得し、上記端末が、上記ネットワークデバイスにより送達される第１インジケーションフィールドを受信する段階
をさらに備え、
上記合計フィールドおよび上記第１インジケーションフィールドは、上記即時的にスケジューリングされるダウンリンクサブフレームセットにおける、上記端末のスケジューリングされるダウンリンクサブフレームの総数を共同的に示すのに用いられ、上記第１インジケーションフィールドにおいて搬送されるビットは、上位ビットである、
項目３に記載の方法。
［項目７］
端末が、ダウンリンクサブフレームについてのフィードバック情報を第１フィードバック方式でネットワークデバイスに送信することを決定する上記段階の前に、上記方法は、
上記端末が、上記ネットワークデバイスにより送達される第１インジケーションフィールドを受信する段階
をさらに備え、
端末が、ダウンリンクサブフレームについてのフィードバック情報を第１フィードバック方式でネットワークデバイスに送信することを決定する上記段階は、
上記第１インジケーションフィールドが第１ステータス情報を示す場合に、上記端末が、上記フィードバック情報を上記第１ステータス情報に対応する上記第１フィードバック方式で上記ネットワークデバイスに送信することを決定する段階
を含む、
項目１から４のいずれか一項に記載の方法。
［項目８］
上記端末が、上記フィードバック情報を上記第１フィードバック方式で上記ネットワークデバイスに送信する上記段階は、
上記端末が、取得された上記第１コードブックに巡回冗長検査ＣＲＣコードを付加する段階と、
上記端末が、上記ＣＲＣが付加された上記フィードバックコードブックに対してチャネル符号化を行って、上記フィードバック情報を取得する段階と、
上記端末が、上記フィードバック情報を上記ネットワークデバイスに送信する段階と
を含む、
項目７に記載の方法。
［項目９］
上記第１インジケーションフィールドは、アップリンクスケジューリンググラントＵＬ＿ｇｒａｎｔにおけるフィールドである、
項目５から８のいずれか一項に記載の方法。
［項目１０］
上記端末が、上記ネットワークデバイスにより送達される第１インジケーションフィールドを受信する上記段階の後に、上記方法は、
上記第１インジケーションフィールドが第２ステータス情報を示す場合に、上記端末が、上記ダウンリンクサブフレームについての上記フィードバック情報を上記第２ステータス情報に対応する第２フィードバック方式で上記ネットワークデバイスに送信することを決定する段階であって、上記第２フィードバック方式において、上記フィードバック情報の第２コードブックは、予め構成されるダウンリンクサブフレームサブセットにおけるダウンリンクサブフレームに対応し、上記予め構成されるダウンリンクサブフレームサブセットは、予め構成されるダウンリンクサブフレームセットのサブセットであり、上記予め構成されるダウンリンクサブフレームセットは、上記端末に対して構成され、上記フィードバック情報を搬送するアップリンクサブフレームに対応する全キャリア上の全ダウンリンクサブフレームを含む、段階と、
上記端末が、上記フィードバック情報を上記第２フィードバック方式で上記ネットワークデバイスに送信する段階と
をさらに備える、
項目７に記載の方法。
［項目１１］
情報受信方法であって、
ネットワークデバイスが、端末のダウンリンクサブフレームをスケジューリングする段階であって、上記端末は、キャリアアグリゲーションＣＡをサポートする端末である、段階と、
上記ネットワークデバイスが、上記端末により第１フィードバック方式で送信されたフィードバック情報を受信する段階であって、上記第１フィードバック方式において、上記フィードバック情報の第１コードブックは、即時的にスケジューリングされるダウンリンクサブフレームセットにおけるダウンリンクサブフレームに対応し、上記即時的にスケジューリングされるダウンリンクサブフレームセットは、上記ネットワークデバイスによって実際にスケジューリングされる上記端末の上記ダウンリンクサブフレームを含む、段階と
を備える、方法。
［項目１２］
ネットワークデバイスが、端末のダウンリンクサブフレームをスケジューリングする上記段階は、
上記ネットワークデバイスが、上記ダウンリンクサブフレームにおけるダウンリンク制御チャネルにインデックスフィールドを付加する段階
を含み、
上記インデックスフィールドの値は、上記即時的にスケジューリングされるダウンリンクサブフレームセットにおいて、まずキャリア、次にサブフレームの順に累積カウントを行うことにより取得されるカウント値である、
項目１１に記載の方法。
［項目１３］
ネットワークデバイスが、端末のダウンリンクサブフレームをスケジューリングする上記段階は、
上記ネットワークデバイスが、上記ダウンリンクサブフレームにおける上記ダウンリンク制御チャネルに合計フィールドを付加する段階
をさらに含み、
上記合計フィールドは、上記即時的にスケジューリングされるダウンリンクサブフレームセットにおける、上記端末のスケジューリングされるダウンリンクサブフレームの総数を示すのに用いられる、または、
上記合計フィールドは、上記即時的にスケジューリングされるダウンリンクサブフレームセットにおける現在のダウンリンクサブフレーム番号に対応するダウンリンクサブフレームセットにおける、上記端末のスケジューリングされるダウンリンクサブフレームの総数を示すのに用いられる、または、
上記合計フィールドは、上記即時的にスケジューリングされるダウンリンクサブフレームセットにおける現在のダウンリンクサブフレーム番号に対応するダウンリンクサブフレームセットと、上記現在のダウンリンクサブフレーム番号のサブフレーム期間の前の全ダウンリンクサブフレームのサブフレーム番号に対応するダウンリンクサブフレームセットとにおける、上記端末のスケジューリングされるダウンリンクサブフレームの総数を示すのに用いられる、
項目１２に記載の方法。
［項目１４］
ネットワークデバイスが、端末のダウンリンクサブフレームをスケジューリングする上記段階は、
上記ネットワークデバイスが、第１インジケーションフィールドを上記端末に送達する段階
をさらに含み、
上記第１インジケーションフィールドは、上記インデックスフィールドにより示される周期的な値設定のラウンド数を搬送する、または、上記第１インジケーションフィールドは、上記即時的にスケジューリングされるダウンリンクサブフレームセットにおける、上記端末の上記スケジューリングされるダウンリンクサブフレームの上記総数を示すのに用いられる、
項目１３に記載の方法。
［項目１５］
ネットワークデバイスが、端末のダウンリンクサブフレームをスケジューリングする上記段階は、
上記ネットワークデバイスが、上記ダウンリンクサブフレームにおける上記ダウンリンク制御チャネルに合計フィールドを付加し、第１インジケーションフィールドを上記端末に送達する段階
をさらに含み、
上記合計フィールドおよび上記第１インジケーションフィールドは、上記即時的にスケジューリングされるダウンリンクサブフレームセットにおける、上記端末のスケジューリングされるダウンリンクサブフレームの総数を共同的に示すのに用いられ、上記第１インジケーションフィールドにおいて搬送されるビットは、上位ビットである、
項目１２に記載の方法。
［項目１６］
上記方法は、
上記ネットワークデバイスが、第１インジケーションフィールドを上記端末に送達する段階
をさらに備え、
上記ネットワークデバイスが、上記端末により第１フィードバック方式で送信されたフィードバック情報を受信する上記段階は、
上記第１インジケーションフィールドが第１ステータス情報を示す場合に、上記ネットワークデバイスが、上記端末により上記第１フィードバック方式で送信された上記フィードバック情報を受信する段階
を含む、
項目１１から１３のいずれか一項に記載の方法。
［項目１７］
上記ネットワークデバイスが、第１インジケーションフィールドを上記端末に送達する上記段階の後に、上記方法は、
上記第１インジケーションフィールドが第２ステータス情報を示す場合に、上記ネットワークデバイスが、上記端末により第２フィードバック方式で送信された上記フィードバック情報を受信する段階
をさらに備え、
上記第２フィードバック方式において、上記フィードバック情報の第２コードブックは、予め構成されるダウンリンクサブフレームサブセットにおけるダウンリンクサブフレームに対応し、上記予め構成されるダウンリンクサブフレームサブセットは、予め構成されるダウンリンクサブフレームセットのサブセットであり、上記予め構成されるダウンリンクサブフレームセットは、上記端末に対して構成され、上記フィードバック情報を搬送するアップリンクサブフレームに対応する全キャリア上の全ダウンリンクサブフレームを含む、
項目１６に記載の方法。
［項目１８］
上記第１インジケーションフィールドは、アップリンクスケジューリンググラントＵＬ＿ｇｒａｎｔにおけるフィールドである、
項目１４から１７のいずれか一項に記載の方法。
［項目１９］
端末であって、
ダウンリンクサブフレームについてのフィードバック情報を第１フィードバック方式でネットワークデバイスに送信することを決定するよう構成された処理モジュールであって、上記第１フィードバック方式において、上記フィードバック情報の第１コードブックは、即時的にスケジューリングされるダウンリンクサブフレームセットにおけるダウンリンクサブフレームに対応し、上記即時的にスケジューリングされるダウンリンクサブフレームセットは、上記ネットワークデバイスによって実際にスケジューリングされる上記端末の上記ダウンリンクサブフレームを含み、上記端末は、キャリアアグリゲーションＣＡをサポートする端末である、処理モジュールと、
上記フィードバック情報を上記第１フィードバック方式で上記ネットワークデバイスに送信するよう構成された送信モジュールと
を備える、端末。
［項目２０］
上記処理モジュールは、上記ダウンリンクサブフレームにおける検出されたダウンリンク制御チャネルに従って、上記ネットワークデバイスによってスケジューリングされる上記ダウンリンクサブフレームを決定するようさらに構成される、
項目１９に記載の端末。
［項目２１］
上記処理モジュールは、上記ダウンリンク制御チャネル上で搬送されるインデックスフィールドを取得するようさらに構成され、
上記インデックスフィールドの値は、上記即時的にスケジューリングされるダウンリンクサブフレームセットにおいて、まずキャリア、次にサブフレームの順に累積カウントを行うことにより取得されるカウント値である、
項目２０に記載の端末。
［項目２２］
上記処理モジュールは、上記ダウンリンク制御チャネル上で搬送される合計フィールドを取得するようさらに構成され、
上記合計フィールドは、上記即時的にスケジューリングされるダウンリンクサブフレームセットにおける、上記端末のスケジューリングされるダウンリンクサブフレームの総数を示すのに用いられる、または、
上記合計フィールドは、上記即時的にスケジューリングされるダウンリンクサブフレームセットにおける現在のダウンリンクサブフレーム番号に対応するダウンリンクサブフレームセットにおける、上記端末のスケジューリングされるダウンリンクサブフレームの総数を示すのに用いられる、または、
上記合計フィールドは、上記即時的にスケジューリングされるダウンリンクサブフレームセットにおける現在のダウンリンクサブフレーム番号に対応するダウンリンクサブフレームセットと、上記現在のダウンリンクサブフレーム番号のサブフレーム期間の前の全ダウンリンクサブフレームのサブフレーム番号に対応するダウンリンクサブフレームセットとにおける、上記端末のスケジューリングされるダウンリンクサブフレームの総数を示すのに用いられる、
項目２１に記載の端末。
［項目２３］
上記端末は、
上記ネットワークデバイスにより送達される第１インジケーションフィールドを受信するよう構成された受信モジュール
をさらに備え、
上記第１インジケーションフィールドは、上記インデックスフィールドにより示される周期的な値設定のラウンド数を搬送する、または、上記第１インジケーションフィールドは、上記即時的にスケジューリングされるダウンリンクサブフレームセットにおける、上記端末の上記スケジューリングされるダウンリンクサブフレームの上記総数を示すのに用いられる、
項目２２に記載の端末。
［項目２４］
上記端末は、受信モジュールをさらに備え、
上記処理モジュールは、上記ダウンリンク制御チャネル上で搬送される合計フィールドを取得するようさらに構成され、上記受信モジュールは、上記ネットワークデバイスにより送達される第１インジケーションフィールドを受信するよう構成され、
上記合計フィールドおよび上記第１インジケーションフィールドは、上記即時的にスケジューリングされるダウンリンクサブフレームセットにおける、上記端末のスケジューリングされるダウンリンクサブフレームの総数を共同的に示すのに用いられ、上記第１インジケーションフィールドにおいて搬送されるビットは、上位ビットである、
項目２１に記載の端末。
［項目２５］
上記端末は、受信モジュールをさらに備え、
上記受信モジュールは、上記処理モジュールが、ダウンリンクサブフレームについてのフィードバック情報を第１フィードバック方式でネットワークデバイスに送信することを決定する前に、上記ネットワークデバイスにより送達される第１インジケーションフィールドを受信するよう構成され、
上記処理モジュールは、上記第１インジケーションフィールドが第１ステータス情報を示す場合に、上記フィードバック情報を上記第１ステータス情報に対応する上記第１フィードバック方式で上記ネットワークデバイスに送信することを決定するよう構成される、
項目１９から２２のいずれか一項に記載の端末。
［項目２６］
上記送信モジュールは、
取得された上記第１コードブックに巡回冗長検査ＣＲＣコードを付加し、
上記ＣＲＣが付加された上記フィードバックコードブックに対してチャネル符号化を行って、上記フィードバック情報を取得し、
上記フィードバック情報を上記ネットワークデバイスに送信する
よう構成される、
項目２５に記載の端末。
［項目２７］
上記第１インジケーションフィールドは、アップリンクスケジューリンググラントＵＬ＿ｇｒａｎｔにおけるフィールドである、
項目２３から２６のいずれか一項に記載の端末。
［項目２８］
上記処理モジュールは、上記受信モジュールが、上記ネットワークデバイスにより送達される上記第１インジケーションフィールドを受信した後に、上記第１インジケーションフィールドが第２ステータス情報を示す場合に、上記ダウンリンクサブフレームについての上記フィードバック情報を上記第２ステータス情報に対応する第２フィードバック方式で上記ネットワークデバイスに送信することを決定するようさらに構成され、上記第２フィードバック方式において、上記フィードバック情報の第２コードブックは、予め構成されるダウンリンクサブフレームサブセットにおけるダウンリンクサブフレームに対応し、上記予め構成されるダウンリンクサブフレームサブセットは、予め構成されるダウンリンクサブフレームセットのサブセットであり、上記予め構成されるダウンリンクサブフレームセットは、上記端末に対して構成され、上記フィードバック情報を搬送するアップリンクサブフレームに対応する全キャリア上の全ダウンリンクサブフレームを含み、
上記送信モジュールは、上記フィードバック情報を上記第２フィードバック方式で上記ネットワークデバイスに送信するようさらに構成される、
項目２５に記載の端末。
［項目２９］
ネットワークデバイスであって、
端末のダウンリンクサブフレームをスケジューリングするよう構成された処理モジュールであって、上記端末は、キャリアアグリゲーションＣＡをサポートする端末である、処理モジュールと、
上記端末により第１フィードバック方式で送信されたフィードバック情報を受信するよう構成された受信モジュールであって、上記第１フィードバック方式において、上記フィードバック情報の第１コードブックは、即時的にスケジューリングされるダウンリンクサブフレームセットにおけるダウンリンクサブフレームに対応し、上記即時的にスケジューリングされるダウンリンクサブフレームセットは、上記ネットワークデバイスによって実際にスケジューリングされる上記端末の上記ダウンリンクサブフレームを含む、受信モジュールと
を備える、ネットワークデバイス。
［項目３０］
上記処理モジュールは、上記ダウンリンクサブフレームにおけるダウンリンク制御チャネルにインデックスフィールドを付加するよう構成され、
上記インデックスフィールドの値は、上記即時的にスケジューリングされるダウンリンクサブフレームセットにおいて、まずキャリア、次にサブフレームの順に累積カウントを行うことにより取得されるカウント値である、
項目２９に記載のネットワークデバイス。
［項目３１］
上記処理モジュールは、上記ダウンリンクサブフレームにおける上記ダウンリンク制御チャネルに合計フィールドを付加するよう構成され、
上記合計フィールドは、上記即時的にスケジューリングされるダウンリンクサブフレームセットにおける、上記端末のスケジューリングされるダウンリンクサブフレームの総数を示すのに用いられる、または、
上記合計フィールドは、上記即時的にスケジューリングされるダウンリンクサブフレームセットにおける現在のダウンリンクサブフレーム番号に対応するダウンリンクサブフレームセットにおける、上記端末のスケジューリングされるダウンリンクサブフレームの総数を示すのに用いられる、または、
上記合計フィールドは、上記即時的にスケジューリングされるダウンリンクサブフレームセットにおける現在のダウンリンクサブフレーム番号に対応するダウンリンクサブフレームセットと、上記現在のダウンリンクサブフレーム番号のサブフレーム期間の前の全ダウンリンクサブフレームのサブフレーム番号に対応するダウンリンクサブフレームセットとにおける、上記端末のスケジューリングされるダウンリンクサブフレームの総数を示すのに用いられる、
項目３０に記載のネットワークデバイス。
［項目３２］
上記処理モジュールは、第１インジケーションフィールドを上記端末に送達するよう構成され、
上記第１インジケーションフィールドは、上記インデックスフィールドにより示される周期的な値設定のラウンド数を搬送する、または、上記第１インジケーションフィールドは、上記即時的にスケジューリングされるダウンリンクサブフレームセットにおける、上記端末の上記スケジューリングされるダウンリンクサブフレームの上記総数を示すのに用いられる、
項目３１に記載のネットワークデバイス。
［項目３３］
上記処理モジュールは、上記ダウンリンクサブフレームにおける上記ダウンリンク制御チャネルに合計フィールドを付加し、第１インジケーションフィールドを上記端末に送達するよう構成され、
上記合計フィールドおよび上記第１インジケーションフィールドは、上記即時的にスケジューリングされるダウンリンクサブフレームセットにおける、上記端末のスケジューリングされるダウンリンクサブフレームの総数を共同的に示すのに用いられ、上記第１インジケーションフィールドにおいて搬送されるビットは、上位ビットである、
項目３０に記載のネットワークデバイス。
［項目３４］
上記ネットワークデバイスは、送信モジュールをさらに備え、
上記送信モジュールは、第１インジケーションフィールドを上記端末に送達するよう構成され、
上記受信モジュールは、上記第１インジケーションフィールドが第１ステータス情報を示す場合に、上記端末により上記第１フィードバック方式で送信された上記フィードバック情報を受信するよう構成される、
項目２９から３１のいずれか一項に記載のネットワークデバイス。
［項目３５］
上記受信モジュールは、上記送信モジュールが、上記第１インジケーションフィールドを上記端末に送達した後に、上記第１インジケーションフィールドが第２ステータス情報を示す場合に、上記端末により第２フィードバック方式で送信された上記フィードバック情報を受信するようさらに構成され、
上記第２フィードバック方式において、上記フィードバック情報の第２コードブックは、予め構成されるダウンリンクサブフレームサブセットにおけるダウンリンクサブフレームに対応し、上記予め構成されるダウンリンクサブフレームサブセットは、予め構成されるダウンリンクサブフレームセットのサブセットであり、上記予め構成されるダウンリンクサブフレームセットは、上記端末に対して構成され、上記フィードバック情報を搬送するアップリンクサブフレームに対応する全キャリア上の全ダウンリンクサブフレームを含む、
項目３４に記載のネットワークデバイス。
［項目３６］
上記第１インジケーションフィールドは、アップリンクスケジューリンググラントＵＬ＿ｇｒａｎｔにおけるフィールドである、
項目３２から３５のいずれか一項に記載のネットワークデバイス。
【外国語明細書】
2019216460000001.pdf